(57)【要約】      （修正有）【課題】捕獲目的外の獣類を錯誤捕獲しても、檻本体外側に放獣（脱出）させることのできる獣類捕獲罠を提供する。【解決手段】檻本体１の天井面１３は、天井脱出口と、天井脱出口を開閉する天井開閉扉４９，４９を含んで構成する。【選択図】図１４
2014045734.tif 000002
【特許請求の範囲】
【請求項１】
前後面、左右面、底面及び天井面に箱形に形成され、猪等の捕獲目的の獣類を収容する捕獲空間を有する檻本体と、前記檻本体の前面及び／又は後面に形成され、前記獣類を前記捕獲空間に導く獣類侵入口と、前記獣類侵入口を開閉する前記天井側の開位置又は前記底面側の閉位置に移動され、前記開位置で前記獣類侵入口を閉じる捕獲開閉扉と、前記開位置にある捕獲開閉扉を保持し、前記獣類の前記捕獲空間への侵入に伴って、前記捕獲開閉扉の保持を解除するトリガ装置と、を備え、前記捕獲開閉扉は、前記トリガ装置による保持の解除に伴って、前記開位置から前記閉位置に落下され、前記閉位置で前記獣類侵入口を閉じる獣類捕獲罠において、
前記檻本体の天井面は、
前記捕獲空間内に開口され、前記捕獲空間に収容された捕獲目的以外の獣類を前記天井面から前記檻本体外側へ脱出させる天井脱出口と、
前記天井脱出口を開閉する天井開閉扉と、
を含んで構成されることを特徴とする獣類捕獲罠。
【請求項２】
前記天井開閉扉は、前記天井面に回転自在に支持され、回転に伴って、前記天井脱出口を開く天井脱出口、又は前記天井脱出口を閉じる天井閉位置にされる
ことを特徴とする請求項１に記載の獣類捕獲罠。
【請求項３】
前記天井開閉扉は、前記天井面に並行して移動自在に支持され、移動に伴って、前記天井脱出口を開く天井開位置、又は前記天井脱出口を閉じる天井閉位置にされる
ことを特徴とする請求項１に記載の獣類捕獲罠。
【請求項４】
前記天井脱出口の開口総平面積：Ｓ１、及び前記檻本体の天井面の総平面積：Ｓの関係は、
Ｓ１＝（０．５〜１．０）×Ｓ
であることを特徴とする請求項１乃至３の何れかに記載の獣類捕獲罠。
【請求項５】
前記捕獲開閉扉の移動又は落下を案内するガイド装置と、前記捕獲開閉扉の移動又は落下を規制するストッパ装置と、を備え、
前記ガイド装置は、
前記開位置及び前記閉位置間に延設されるガイド溝と、
前記捕獲開へ扉に連結され、前記ガイド溝内に摺動自在に配置されるガイド体と、
を有し、
前記ストッパ装置は、
前記ガイド溝内に開口されるストッパ穴と、
前記ストッパ穴内に摺動自在に配置されるストッパと、
を有し、
前記ストッパ穴は、前記開位置から前記閉位置へ傾斜され、前記ストッパ体を自重で前記ガイド溝内に突出自在とし、
前記ストッパ体は、前記ガイド溝内に突出されて前記ガイド体に当接し、前記開位置にある捕獲開閉扉の落下を規制しつつ前記捕獲開閉扉を前記開位置に保持する
ことを特徴とする請求項１乃至４の何れかに規制の獣類捕獲罠。
【請求項６】
前記檻本体の前面及び後面に形成され、前記獣類を前記捕獲空間に導く複数の前記獣類侵入口と、前記各獣類侵入口を開閉する複数の捕獲開閉扉と、と備え、
前記トリガ装置は、
前記開位置にある一方側の捕獲開閉扉に連結される第１トリガ線材と、
前記開位置にある他方側の捕獲開閉扉に連結される第２トリガ線材と、
前記捕獲空間内に配置される第３トリガ線材と、
前記第１トリガ線材に連結されるトリガ連結環材、及び前記第２トリガ線材に連結されるトリガ突起を有し、前記トリガ突起を前記トリガ連結環材内に抜出自在に挿入して、前記第１及び第２トリガ線材を連結するトリガ連結体と、
前記第３トリガ線材に連結され、前記第１トリガ線材を挿通するトリガ保持環材、及び前記トリガ突起に連結されるトリガ保持棒材を有し、前記トリガ保持棒材を前記トリガ保持環材内に挿入し、前記トリガ突起の前記トリガ連結環材内への挿入を保持するトリガ保持体と、を含んで構成され、
前記第３トリガ線材は、前記獣類の接触で移動され、
前記トリガ保持環材は、前記第３トリガ線材の移動に伴って、前記トリガ保持棒材を抜出す
ことを特徴とする請求項１乃至５の何れかに記載の獣類捕獲罠。
【請求項７】
前記トリガ装置は、
前記捕獲空間内に配置されるトリガ線材と、
前記開位置にある捕獲開閉扉を保持するトリガ支持材、及び前記トリガ支持材に連結されるトリガ支持竿を有し、前記檻本体の天井面に回転自在に支持され、回転に伴って、前記トリガ支持材を前記捕獲開閉扉から離間するトリガ保持竿体と、
前記檻本体の天井面に間隔を隔てて配置されるトリガ筒材、及び前記トリガ筒材内に摺動自在に配置されるトリガ連結ピンを有し、前記トリガ連結ピンを前記トリガ筒材から突出し、前記トリガ保持竿を前記トリガ連結ピン及び檻本体の天井面間で保持するトリガ連結体と、を含んで構成され、
前記トリガ線材は、前記獣類の接触で移動され、
前記トリガ連結ピンは、前記トリガ線材の移動に伴って、前記トリガ筒材内に退避され、前記トリガ支持竿の保持を解除する
ことを特徴とする請求項１乃至５の何れかに記載の獣類捕獲罠。
【請求項８】
扉等規制装置を備え、
前記扉等規制装置は、前記閉位置にある捕獲開閉扉に当接自在とされ、前記檻本体の前後方向で、前記閉位置にある捕獲開閉扉の移動を規制する
ことを特徴とする請求項１乃至７の何れかに記載の獣類捕獲罠。
【請求項９】
扉視認装置を備え、
前記扉視認装置は、
前記開位置にある捕獲開閉扉上に立設される旗棒材と、
前記旗棒材上端側に配置される視認旗と、
前記捕獲開閉扉に固定され、前記旗棒材の立設を保持する旗保持体と、を含んで構成され、
前記旗保持体は、前記開位置にある捕獲開閉扉の落下に伴って、前記旗棒材の保持を解除し、
前記旗棒材は、前記旗保持体による保持の解除に伴って、前記檻本体の底面側へ落下される
ことを特徴とする請求項１乃至８の何れかに記載の獣類捕獲罠。
【発明の詳細な説明】
【技術分野】
【０００１】
本発明は、猪等の有害獣類を捕獲する獣類捕獲罠に関する。
【背景技術】
【０００２】
猪等の有害獣類を捕獲する技術として、特許文献１は、猪（捕獲目的の獣類）を捕獲する箱形罠を開示する。
【０００３】
特許文献１は、落下式扉、左右側部材、底部材、天井部材及び背部材で箱形本体を形成し、猪を収容（捕獲）する捕獲空間を有する。箱形罠は、落下式扉で箱形本体の入口を開閉する。特許文献１では、落下式扉を開位置とし、猪の捕獲空間への侵入に伴って、落下式扉で入口を閉じることで、猪を箱形本体内に捕獲する。
【０００４】
特許文献１では、捕獲目的以外の獣類、例えば熊、猿等を誤って錯誤捕獲すると、落下式扉を開放しなければ、捕獲目的以外の獣類を捕獲空間（箱形本体）から放獣（脱出）できない。
【０００５】
また、特許文献１では、箱形本体内に猪を捕獲すると、猪は箱形本体内で暴れ、落下式扉又は背部材に突進／激突して落下方扉等を破損させる。
【０００６】
更に、特許文献１では、落下方扉の開閉（捕獲の有無）は、遠方から視覚で確認（視認）できない。
【先行技術文献】
【特許文献】
【０００７】
【特許文献１】特開２０１１−２４４４６号公報
【発明の概要】
【発明が解決しようとする課題】
【０００８】
本発明は、上記問題に鑑み、捕獲目的以外の獣類を錯誤捕獲しても、檻本体外側へ放獣（脱出）させることのできる獣類捕獲罠を提供することにある。
本発明は、箱罠及び囲い罠を兼用できる獣類捕獲罠を提供することにある。
本発明は、捕獲開閉扉の開閉を遠方から視認（視覚で確認）できる獣類捕獲罠を提供することにある。
本発明は、捕獲した獣類の突進／激突で捕獲開閉扉等の破損を防止できる獣類捕獲罠を提供することにある。
【課題を解決するための手段】
【０００９】
本発明に係る請求項１は、前後面、左右面、底面及び天井面で箱形に形成され、猪等の捕獲目的の獣類を収容する捕獲空間を有する檻本体と、前記檻本体の前面及び/又は後面に形成され、前記獣類を前記捕獲空間に導く獣類侵入口と、前記獣類侵入口を開閉する前記底面側の閉位置又は前記天井面側の開位置に移動され、前記開位置で前記獣類侵入口を開く捕獲開閉扉と、前記開位置にある捕獲開閉扉を保持し、前記獣類の前記捕獲空間への侵入に伴って、前記捕獲開閉扉の保持を解除するトリガ装置と、を備え、前記捕獲開閉扉は、前記トリガ装置による保持の解除に伴って、前記開位置から前記閉位置に落下され、前記閉位置で前記獣類侵入口を閉じる獣類捕獲罠において、前記檻本体の天井面は、前記捕獲空間内に開口され、前記捕獲空間に収容された捕獲目的以外の前記獣類を前記天井面から脱出される天井脱出口と、前記天井脱出口を開閉する天井開閉扉と、を含んで構成されることを特徴とする獣類捕獲罠に関する。
【００１０】
本発明に係る請求項２は、前記天井開閉扉は、前記天井面に回転自在に支持され、回転に伴って、前記天井脱出口を開く天井開位置、又は前記天井脱出口を閉じる天井閉位置にされることを特徴とする請求項１に記載の獣類捕獲罠に関する。
本発明では、前記檻本体の天井面は、前記天井脱出口を間に配置して対峙され、前記天井面に並設する複数の回転軸を備え、前記天井開閉扉は、前記天井脱出口を開閉し、前記各回転軸の夫々に回転自在に支持される複数の天井扉体を有し、前記各天井扉体は、回転に伴って、前記檻本体外側で前記天井面に直交する前記天井開位置、又は前記天井閉位置にされ、前記天井開位置で相互に間隔を隔てて配置される構成を採用できる。
本発明では、前記各天井扉体を前記天井開位置に保持する天井扉保持装置を備え、前記天井保持装置は、前記天井脱出口外側で、前記天井開位置にある各天井扉体間に配置される補助パネル体を有し、前記補助パネル体は前記各天井扉体に連結される構成を採用できる。
本発明では、前記補助パネル体は、前記檻本体の天井面に回転自在に支持され、回転に伴って、前記天井脱出口から前記捕獲空間に収納されるパネル収納位置、又は前記天井閉位置にされる構成も採用できる。
【００１１】
本発明に係る請求項３は、前記天井開閉扉は、前記天井面に並行して移動自在に支持され、移動に伴って、前記天井脱出口を開く天井開位置、又は前記天井脱出口を閉じる天井閉位置にされることを特徴とする請求項１に記載の獣類捕獲罠に関する。
【００１２】
本発明に係る請求項４は、前記天井脱出口の開口総平面積：Ｓ１、及び前記檻本体の天井面の総平面積：Ｓの関係は、Ｓ１=（０．５〜１．０）×Ｓであることを特徴とする請求項１乃至３の何れかに記載の獣類捕獲罠に関する。
【００１３】
本発明に係る請求項５は、前記捕獲開閉扉の移動又は落下を案内するガイド装置と、前記捕獲開閉扉の移動又は落下を規制するストッパ装置と、を備え、前記ガイド装置は、前記捕獲開閉扉の前記開位置及び前記閉位置間に延設されるガイド溝と、前記捕獲開閉扉に連結され、前記ガイド溝内に摺動自在に配置されるガイド体と、を有し、前記ストッパ装置は、前記ガイド溝内に開口されるストッパ穴と、前記ストッパ穴内に摺動自在に配置されるストッパ体と、を有し、前記ストッパ穴は、前記開位置から前記閉位置へ傾斜され、前記ストッパ体を自重で前記ガイド溝内に突出自在とし、前記ストッパ体は、前記ガイド溝内に突出されて前記ガイド体に当接し、前記開位置にある捕獲開閉扉の前記閉位置への落下を規制しつつ、前記捕獲開閉扉を前記開位置に保持することを特徴とする請求項１乃至４の何れかに記載の獣類捕獲罠に関する。
【００１４】
本発明に係る請求項６は、前記檻本体の前面及び後面に形成され、前記獣類を前記捕獲空間に導く複数の前記獣類侵入口と、前記各獣類侵入口を開閉する複数の前記捕獲開閉扉を、備え、前記トリガ装置は、前記開位置にある一方側の捕獲開閉扉に連結される第１トリガ線材と、前記開位置にある他方側の捕獲開閉扉に連結される第２トリガ線材と、前記捕獲空間内に配置される第３トリガ線材と、前記第１トリガ線材に連結されるトリガ連結環材、及び前記第２トリガ線材に連結されるトリガ突起を有し、前記トリガ突起を前記トリガ環材内に抜出自在に挿入して、前記第１及び第２トリガ線材を連結するトリガ連結体と、前記第３トリガ線材に連結され、前記第１トリガ線材を挿通するトリガ保持環材、及び前記トリガ突起に連結されるトリガ保持棒材を有し、前記トリガ保持棒材を前記トリガ保持環材内に挿入し、前記トリガ突起の前記トリガ連結環材内への挿入を保持するトリガ保持体と、を含んで構成され、前記第３トリガ線材は、前記獣類の接触で移動され、前記トリガ保持環材は、前記第３トリガ線材の移動に伴って、前記トリガ保持棒材を抜出すことを特徴とする請求項１乃至５の何れかに記載の獣類捕獲罠に関する。
【００１５】
本発明に係る請求項７は、前記トリガ装置は、前記捕獲空間内に配置されるトリガ線材と、前記開位置にある捕獲開閉扉を保持するトリガ支持材、及び前記トリガ支持材に連結されるトリガ支持竿を有し、前記檻本体の天井面に回転自在に支持され、回転に伴って、前記トリガ支持材を前記捕獲開閉扉から離間するトリガ保持竿体と、前記檻本体の天井面に間隔を隔てて配置されるトリガ筒材、及び前記トリガ筒体に摺動自在に配置されるトリガ連結ピンを有し、前記トリガ連結ピンを前記トリガ筒材から突出して、前記トリガ支持竿を前記トリガ連結ピン及び前記檻本体の天井面間で保持するトリガ連結体と、を含んで構成され、前記トリガ線材は、前記獣類の接触で移動され、前記トリガ連結ピンは、前記トリガ線材の移動に伴って、前記トリガ筒材内に退避され、前記トリガ支持竿の保持を解除することを特徴とする請求項１乃至５の何れかに記載の獣類捕獲罠に関する。
本発明では、前記トリガ装置は、前記獣類の餌を付ける餌付材を有し、前記捕獲空間内に配置され、前記檻本体に回転自在に支持されるトリガ餌付枠体を備え、前記トリガ線材は、前記捕獲空間内で前記トリガ餌付枠体と連結され、前記トリガ餌付枠体は、獣類の接触で回転され、前記トリガ線材を移動する構成を採用できる。
【００１６】
本発明に係る請求項８は、扉等規制装置を備え、前記扉等規制装置は、前記閉位置にある捕獲開閉扉に当接自在とされ、前記檻本体の前後方向で、前記閉位置にある捕獲開閉扉の移動を規制することを特徴とする請求項１乃至７の何れかに機第の獣類捕獲罠に関する。
【００１７】
本発明に係る請求項９は、扉視認装置を備え、前記扉視認装置は、前記開位置にある捕獲開閉扉上に立設される旗棒材と、前記旗棒材上端側に配置される視認旗と、前記捕獲開閉扉に固定され、前記旗棒材の立設を保持する旗保持体と、を含んで構成され、前記旗保持体は、前記開位置にある捕獲開閉扉の落下に伴って、前記旗棒材の保持を解除し、前記旗棒材は、前記旗保持体による保持の解除に伴って、前記檻本体の底面側へ落下されることを特徴とする請求項１乃至８の何れかに記載の獣類捕獲罠に関する。
本発明では、前記捕獲開閉扉は、前記檻本体に間隔を隔てて配置され、前記旗保持体は、前記捕獲開閉扉及び前記檻本体間で、前記旗棒材を保持し、前記旗棒材は、前記旗保持体による保持の解除に伴って、前記捕獲開閉扉及び檻補体間に落下される構成を採用できる。
【発明の効果】
【００１８】
本発明に係る請求項１では、天井開閉扉で天井脱出口を開く。檻本体の捕獲空間は、天井脱出口を通して檻本体の天井面から檻本体外側に連通される。捕獲開閉扉は、閉位置から開位置に移動され、トリガ装置で開位置に保持される。獣類侵入口は、開かれ、捕獲空間を檻本体外側に連通される。捕獲目的の獣類、又は捕獲目的以外の獣類は、獣類侵入口から捕獲空間内に侵入する。トリガ装置は、獣類の捕獲空間への侵入に伴って、捕獲開閉扉の保持を解除する。捕獲開閉扉は、トリガ装置による保持の解除に伴って、開位置から閉位置に落下され、閉位置で獣類侵入口を閉じる（全閉）。これにより、捕獲目的の獣類、又は捕獲目的以外の獣類は、檻本体の捕獲空間に収容（捕獲）される。
本発明の請求項１では、捕獲目的の獣類、例えば猪に対し、捕獲目的以外の獣類、例えば２足立ちする熊、猿等を誤って錯誤捕獲しても、捕獲目的以外の獣類は、天井脱出口を通して天井面から檻本体外側へ放獣（脱出）できる。また、誤って人間が捕獲空間に閉じ込められても、天井脱出口から檻本体外側へ脱出できる。更に、獣類を檻本体外側へ放獣する際に、捕獲開閉扉を開く必要もない。
【００１９】
本発明に係る請求項２では、天井開閉扉は、回転に伴って、天井開位置又は天井閉位置にでき、天井開位置で天井脱出口を開き、天井閉位置で天井脱出口を閉じる。
これにより、天井開閉扉を回転するという簡単な作業で、天井脱出口を開閉できる。
【００２０】
本発明に係る請求項３では、天井開閉扉は、天井面に並行する移動に伴って、天井開位置又は天井閉位置にでき、天井開位置で天井脱出口を開き、天井閉位置で天井脱出口を閉じる。
これにより、天井開閉扉を移動するという簡単な作業で、天井脱出口を開閉できる。
【００２１】
本発明に係る請求項４では、天井脱出口の開口総平面積Ｓ１を檻本体の天井面の総平面関：Ｓに対し、Ｓ１＝（０．５〜１．０）×Ｓであるので、天井開閉扉で開く、天井脱出口の開口総平面積：Ｓ１は、檻本体の天井面の総平面積：Ｓの５０％〜１００％に設定できる。
鳥獣の保護及び狩猟の適正化に関する法律（以下、「鳥獣保護法」と称する）では、狩猟免許（罠猟免許）を所有し、更に狩猟登録を受けた者が法定猟法に基づき、狩猟獣類（有害獣類）を捕獲できる。捕獲罠による有害獣類の捕獲も同様で、原則として、罠猟免許を所有し、狩猟登録を要する。捕獲罠は、箱罠、囲い罠等がある。箱罠は、例えば、前後面、左右面、底面及び天井面で箱形に形成され、獣類を収容（捕獲）する捕獲空間を有する。囲い罠は、鳥獣保護法において、箱罠の天井面を半分以上（５０％以上）開放した罠とされている。また、鳥獣保護法では、囲い罠を自己の事業地（例えば、自己農地）内に仕掛ける場合、例外的に罠猟免許の取得・登録を必要しないとされる。
本発明の請求項４では、天井脱出口を檻本体の天井面の総平面積：Ｓに対し、５０％以上の開口総平面関：Ｓ１にすることで、自己の事業地内で囲い罠として使用でき、天井開閉扉で天井脱出口を閉じることで、箱罠としても使用できる。これにより、箱罠及び囲い罠を兼用できる。
【００２２】
本発明に係る請求項５では、捕獲開閉扉を閉位置から開位置に移動すると、ストッパ装置のストッパ体は自重でガイド溝内に突出される。ストッパ体は、開位置にある捕獲開閉扉に連結されたガイド体に当接する。
これにより、ストッパ装置は、ストッパ体で開位置にある捕獲開閉扉の閉位置への移動を規制でき、捕獲開閉扉を開位置に保持できる。また、捕獲開閉扉は、ストッパ装置で開位置に保持されるので、作業者は捕獲開閉扉を別途、支持することなく、トリガ装置を檻本体に配置して、捕獲開閉扉を開位置に保持できる。
【００２３】
本発明に係る請求項６では、トリガ装置は、複数（一対）の捕獲開閉扉を開位置に保持する。各捕獲開閉扉を閉位置から開位置に移動し、トリガ連結体のトリガ突起をトリガ連結環材内に挿入する。トリガ突起をトリガ環材内に挿入すると、各捕獲開閉扉に連結される第１及び第２トリガ線材は、トリガ突起及びトリガ環材で相互に連結される。第１及び第２トリガ線材をトリガ連結体で連結すると、トリガ保持体のトリガ保持棒材をトリガ保持環材内に挿入し、トリガ保持棒材をトリガ保持環材及び第１トリガ線材で保持する。トリガ突起は、トリガ保持体（トリガ保持環材及びトリガ保持棒材）でトリガ連結環材から抜出ることを規制される。
獣類は、獣類侵入口から捕獲空間に侵入し、第３トリガ線材に接触し、第３トリガ線材を移動させる。トリガ保持環材は、第３トリガ線材の移動に伴って、第１トリガ線材に沿って摺動され、トリガ保持棒材を抜出す。トリガ連結体において、トリガ突起は、トリガ連結環材内から抜出され、第１及び第２トリガ線材の連結を解除する。
これにより、トリガ装置は、各捕獲開閉扉の保持を解除する。開位置にある各捕獲開閉扉は、トリガ装置による保持の解除に伴って、開位置から閉位置へ落下され、閉位置で獣類侵入口を閉じる。獣類は、捕獲空間に収容（捕獲）される。
【００２４】
本発明に係る請求項７では、トリガ装置は、捕獲開閉扉を開位置に保持する。捕獲開閉扉を閉位置から開位置に移動し、トリガ支持材で開位置にある捕獲開閉扉を保持する。トリガ保持竿は、トリガ連結ピン及び天井面間に保持することで、回転不能に支持される。
獣類は、獣類侵入口から捕獲空間に侵入し、トリガ線材に接触し、トリガ線材を移動させる。トリガ連結ピンは、トリガ線材の移動に伴って、トリガ筒材内に退避され、トリガ保持竿の保持を解除する。トリガ保持竿体は、トリガ連結体（トリガ連結ピン）による保持の解除に伴って、捕獲開閉扉（重量／落下力）で回転される。トリガ保持竿体は、回転に伴って、トリガ支持材を捕獲開閉扉から離間する方向へ移動する。これにより、トリガ装置は、開位置にある捕獲開閉扉の保持を解除する。開位置にある捕獲開閉扉は、トリガ装置による保持の解除に伴って、開位置から閉位置へ落下され、閉位置で獣類侵入口を閉じる。獣類は、捕獲空間に収容（捕獲）される。
【００２５】
本発明に係る請求項８では、獣類を檻本体の捕獲空間に収容（捕獲）すると、獣類は捕獲空間内で暴れ、捕獲開閉扉に突進／激突する。獣類の激突で、捕獲開閉扉は、檻本体の前後方向へ移動され、扉等規制装置に当接して、扉等規制装置で前後方向の移動が規制される。これにより、捕獲開閉扉は、檻等規制装置で檻本体から外れて破損等することを防止できる。
【００２６】
本発明に係る請求項９では、扉視認装置の旗棒材を開位置にある捕獲開閉扉に立設し、旗保持体で旗棒材の立設を保持する。旗保持体は、捕獲開閉扉の落下に伴って、旗棒材の保持を解除する。旗棒材は、旗保持体による保持の解除に伴って、閉位置にある捕獲開閉扉に対し相対移動し、檻本体の底面側に落下される。
開位置にある捕獲開閉扉、及び閉位置にある捕獲開閉扉では、視認旗の位置（旗立位置、旗落下位置）が相違するため、視認旗を視認すれば、遠方から捕獲開閉扉の開閉を確認できる。また、視認旗の位置で、獣類が捕獲空間に収容（捕獲）されたことも確認できる。
【図面の簡単な説明】
【００２７】
【図１】第１実施形態の獣類捕獲罠を示す前面図である。
【図２】第１実施形態の獣類捕獲罠を示す図であって、図１のＡ−Ａ矢視天井面図である。
【図３】第１実施形態の獣類捕獲罠を示す図であって、図１のＢ−Ｂ矢視側面図である。
【図４】第１実施形態の獣類捕獲罠を示す図であって、天井開閉扉及び底格子パネルユニットを書略した図１のＡ―Ａ矢視天井面図である。
【図５】第１実施形態の獣類捕獲罠を示す図であって、捕獲開閉扉を省略した正面図である。
【図６】第１実施形態の獣類捕獲罠を示す図であって、天井格子パネルユニットを省略した図１のＡ−Ａ矢視図である。
【図７】第１実施形態の獣類捕獲罠において、（ａ）は捕獲開閉扉及びガイド体の正面図、（ｂ）はガイド支持体（ガイド溝）及びストッパ装置の正面図である。
【図８】第１実施形態の獣類捕獲罠において、（ａ）ガイド装置及びストッパ装置を示す拡大斜視図、（ｂ）は図８（ａ）のＣ−Ｃ断面図である。
【図９】第１実施形態の獣類捕獲罠において、天井開閉扉の三面図である。
【図１０】第１実施形態の獣類捕獲罠において、（ａ）天井開閉扉（天井扉体）及び回転軸を示す拡大図、（ｂ）は天井開閉扉（天井扉体）を天井閉位置にした拡大図である。
【図１１】第１実施形態の獣類捕獲罠において、捕獲開閉扉、檻本体及びトリガ装置を配置する斜視図である。
【図１２】第１実施形態の獣類捕獲罠において、（ａ）はトリガ装置で捕獲開閉扉を保持する要部拡大図、（ｂ）はトリガ装置で捕獲開閉扉の保持を解除する正面図である。
【図１３】第１実施形態の獣類捕獲罠において、天井扉保持装置（補助パネル体）の四面図である。
【図１４】第１実施形態の獣類捕獲罠において、捕獲開閉扉を閉位置にし、天井開閉扉（天井扉体）を天井開位置にした正面図である。
【図１５】第１実施形態の獣類捕獲罠において、底格子パネルユニットを省略した図であって、天井開閉扉（天井扉体）を天井開位置にした天井面図である。
【図１６】第１実施形態の獣類捕獲罠において、（ａ）は天井開閉扉（天井扉体）を天井開位置にした側面図、（ｂ）は図１６（ａ）のＥ矢視拡大図である。
【図１７】第１実施形態の獣類捕獲罠において、底格子パネルユニットを省略した図であって、（ａ）は、天井扉保持装置（補助パネル体）を左右側の天井扉体間に配置した正面図、（ｂ）は図１７（ａ）のＦ矢視要部拡大図である。
【図１８】第１実施形態の獣類捕獲罠において、天井扉保持装置（補助パネル体）を左右側の天井扉体間に配置した天井面図である。
【図１９】第１実施形態の獣類捕獲罠において、捕獲開閉扉を開位置にした正面図である。
【図２０】第１実施形態の獣類捕獲罠において、底格子パネルユニットを省略した図であって、後側・天井脱出口を開いた天井面図である。
【図２１】第１実施形態の獣類捕獲罠において、底格子パネルユニットを省略した図であって、後側・天井脱出口を開き、各補助パネル体を各天井扉体間に配置した側面図である。
【図２２】第１実施形態の獣類捕獲罠において、（ａ）はストッパ装置のストッパピンを閉位置にある捕獲開閉扉（ガイド体）に当接する断面拡大図、（ｂ）はストッパ装置のストッパピンをストッパ穴に退避する断面拡大図である。
【図２３】第１実施形態の獣類捕獲罠において、（ａ）はストッパ装置のストッパピンを開位置（第１開位置）にある捕獲開閉扉（ガイド体）に当接する断面拡大図、（ｂ）はストッパ装置のストッパピンを第２開閉位置にあるガイド体に当接する断面拡大図である。
【図２４】第２実施形態の獣類捕獲罠の天井面図である。
【図２５】第２実施形態の獣類捕獲罠において、底格子パネルユニット、天井開閉扉（天井扉体）及び天井扉保持装置（補助パネル体）を書略した天井面図である。
【図２６】第２実施形態の獣類捕獲罠において、天井開閉扉（天井扉体）を除いた天井面図である。
【図２７】第２実施形態の獣類捕獲罠において、（ａ）は図２４のＧ−Ｇ矢視でパネル収納位置にある補助パネル体及び補助回転軸の拡大図、（ｂ）は天井開位置にある補助パネル体及び補助回転軸の拡大図である。
【図２８】第２実施形態の獣類捕獲罠において、天井扉保持装置の補助パネル体の三面図である。
【図２９】第２実施形態の獣類捕獲罠において、天井開閉扉（天井扉体）を天井開位置にした正面図である。
【図３０】第２実施形態の獣類捕獲罠において、底格子パネルユニットを書略した図であって、天井開閉扉（天井扉体）を天井開位置にした天井面図である。
【図３１】第２実施形態の獣類捕獲罠において、天井扉保持装置（補助パネル体）を左右側の天井扉体間に配置した正面図である。
【図３２】第２実施形態の獣類捕獲罠において、（ａ）は天井扉保持装置（補助パネル体）を左右側の天井扉体間の天井開位置に配置した正面図、（ｂ）は図３２（ａ）のＫ矢視拡大図である。
【図３３】第３実施形態の獣類捕獲罠の正面図である。
【図３４】第３実施形態の獣類捕獲罠の背面図（後面図）である。
【図３５】第３実施形態の獣類捕獲罠を示す図であって、図３３のａ−ａ矢視天井面図である。
【図３６】第３実施形態の獣類捕獲罠を示す図であって、図３３のｂ−ｂ矢視側面図である。
【図３７】第３実施形態の獣類捕獲罠において、底格子パネルユニット、天井開閉扉を省略した天井面図である。
【図３８】第３実施形態の獣類捕獲罠において、捕獲開閉扉及びガイド装置の三面図である。
【図３９】第３実施形態の獣類捕獲罠において、捕獲開閉扉、ガイド装置及びストッパ装置の正面図である。
【図４０】第３実施形態の獣類捕獲罠において、ガイド装置（ガイド溝、ガイド支持体）及びストッパ装置を示す四面図である。
【図４１】第３実施形態の獣類捕獲罠において、ガイド装置（ガイド溝、ガイド支持体）を示す四面図である。
【図４２】第３実施形態の獣類捕獲罠において、ストッパ装置及びガイド装置の断面拡大図である。
【図４３】第３実施形態の獣類捕獲罠において、トリガ装置のトリガ線材、トリガ餌付枠体、及びトリガ餌付支持体の三面図である。
【図４４】第３実施形態の獣類捕獲罠において、（ａ）はトリガ装置のトリガ保持竿体の側面図、（ｂ）はトリガ保持竿体の上面図である。
【図４５】第３実施形態の獣類捕獲罠において、トリガ装置のトリガ保持竿体の正面図である。
【図４６】第３実施形態の獣類捕獲罠において、（ａ）はトリガ装置のトリガ連結体の側面図、（ｂ）はトリガ連結体の上面図、（ｃ）はトリガ連結体の正面図である。
【図４７】第３実施形態の獣類捕獲罠において、（ａ）は天井開閉扉及び天井用ガイド装置の三面図、（ｂ）は天井開閉扉及び天井用ガイド装置の拡大図である。
【図４８】第３実施形態の獣類捕獲罠において、扉等規制装置の斜視図である。
【図４９】第３実施形態の獣類捕獲罠において、扉等規制装置を捕獲開閉扉側（前面側）に配置した拡大図である。
【図５０】第３実施形態の獣類捕獲罠において、扉等規制装置を後格子パネル側（後面側）に配置した拡大図である。
【図５１】第３実施形態の獣類捕獲罠において、（ａ）は扉視認装置の正面図、（ｂ）は扉視認装置の上面図である。
【図５２】第３実施形態の獣類捕獲罠において、扉視認装置の側面図である。
【図５３】第３実施形態の獣類捕獲罠において、捕獲開閉扉を閉位置にし、扉視認装置を捕獲開閉扉に立設した正面図である。
【図５４】第３実施形態の獣類捕獲罠において、底格子パネルユニットを書略した図であって、天井開閉扉を天井開位置にした天井面図である。
【図５５】第３実施形態の獣類捕獲罠において、捕獲開閉扉を開位置にし、及び扉視認装置を旗立位置にした正面図である。
【図５６】第３実施形態の獣類捕獲罠において、捕獲開閉扉を開位置にし、天井開天井開閉扉を天井開位置にし、及び扉視認装置を旗立位置にした側面図である。
【図５７】第３実施形態の獣類捕獲罠において、（ａ）はストッパ装置のストッパピンを閉位置にある捕獲開閉扉（ガイド体）に当接する断面拡大図、（ｂ）はストッパ装置のストッパピンをストッパ穴に退避する断面拡大図である。
【図５８】第３実施形態の獣類捕獲罠において、（ａ）はストッパ装置のストッパピンを開位置（第１開位置）にある捕獲開閉扉（ガイド体）に当接する断面拡大図、（ｂ）はストッパ装置のストッパピンを第２開位置にあるガイド体に当接する断面拡大図である。
【図５９】第３実施形態の獣類捕獲罠において、トリガ装置のトリガ連結体を檻本体の天井面に配置する側面図である。
【図６０】第３実施形態の獣類捕獲罠において、底格子パネルユニットを書略した図であって、トリガ装置のトリガ連結体を檻本体の天井面に配置する天井面図である。
【図６１】第３実施形態の獣類捕獲罠において、捕獲開閉扉及び後格子パネルを省略した図であって、トリガ装置のトリガ餌付枠体、トリガ餌付支持体、トリガ線材及びトリガ連結体を檻本体に配置する正面図である。
【図６２】第３実施形態の獣類捕獲罠において、天井格子パネルユニットを省略した図であって、トリガ線材、トリガ餌付枠体及びトリガ餌付支持体を檻本体に配置する上面図である。
【図６３】第３実施形態の獣類捕獲罠において、（ａ）はトリガ装置のトリガ保持竿をトリガ連結体に配置する側面図、（ｂ）は図６３（ａ）の上面図である。
【図６４】第３実施形態の獣類捕獲罠において、底格子パネルユニットを省略した図であって、トリガ装置のトリガ保持竿体及びトリガ連結体の天井面図である。
【図６５】第３実施形態の獣類捕獲罠において、（ａ）はトリガ装置のトリガ保持竿を開閉位置（第１開閉位置）にある捕獲開閉扉に配置する側面図、（ｂ）は図６５（ａ）の上面図である。
【図６６】第３実施形態の獣類捕獲罠において、トリガ装置のトリガ保持竿を開位置（第１開位置）にある捕獲開閉扉に配置する正面図である。
【図６７】第３実施形態の獣類捕獲罠において、（ａ）はトリガ装置のトリガ連結体及びトリガ保持竿体を連結する側面図、（ｂ）は図６７（ａ）の上面図、（ｃ）は図６７（ａ）の正面図である。
【図６８】第３実施形態の獣類捕獲罠において、（ａ）はトリガ装置のトリガ保持竿体で第２開位置にある捕獲開閉扉を保持する側面図、（ｂ）はトリガ保持竿体及びトリガ連結体の連結を解除し、捕獲開閉扉を落下させる側面図である。
【図６９】第３実施形態の獣類捕獲罠において、（ａ）はトリガ装置のトリガ保持竿体から離間して、落下する捕獲開閉扉の側面図、（ｂ）は捕獲開閉扉を落下し、トリガ装置のトリガ保持竿体を檻本体の天井面に配置する側面図である。
【図７０】第３実施形態の獣類捕獲罠において、（ａ）はトリガ装置のトリガ連結体及びトリガ保持竿体の連結を可能にする上面図、（ｂ）は図７０（ａ）の正面図である。
【図７１】第３実施形態の獣類捕獲罠において、（ａ）はトリガ装置のトリガ連結体及びトリガ保持竿体の連結を解除する上面図、（ｂ）は図７１（ａ）の正面図である。
【図７２】第３実施形態の獣類捕獲罠において、（ａ）は扉視認装置の旗連結ピンを破断する拡大正面図、（ｂ）は旗棒材を閉位置にある捕獲開閉扉に相対移動する拡大正面図である。
【図７３】第３実施形態の獣類捕獲罠において、扉視認装置の旗棒材を閉位置にある捕獲開閉扉に相対移動する各第側面図である。
【図７４】第３実施形態の獣類捕獲罠において、捕獲開閉扉を閉位置にし、及び旗扉視認装置を旗落下位置にした正面図である。
【発明を実施するための形態】
【００２８】
本発明に係る獣類捕獲罠について、図１乃至図７４を参照して説明する。
以下、第１実施形態、第２実施形態及び第３実施形態の獣類捕獲罠について説明する。
【００２９】
図１乃至図７４において、第１乃至第３実施形態の獣類捕獲罠Ｘ１，Ｘ２，Ｘ３は、野性に生息する有害獣類（捕獲目的の獣類）、例えば猪を捕獲する罠である。
第１乃至第３実施形態の獣類捕獲罠Ｘ１，Ｘ２，Ｘ３は、捕獲目的以外の獣類、例えば２足立ちする熊、猿等を放獣（脱出）させる罠である。
第１乃至第３実施形態の獣類捕獲罠Ｘ１，Ｘ２，Ｘ３は、箱罠及び囲い罠を兼用する罠である。
【００３０】
＜第１実施形態＞
第１実施形態の獣類捕獲罠Ｘ１について、図１乃至図２３を参照して説明する。
【００３１】
図１乃至図１３において、第１実施形態の獣類捕獲罠Ｘ１（以下、「獣類捕獲罠Ｘ１」と称する）は、檻本体１、複数の獣類侵入口２，２、複数の捕獲開閉扉３，３、複数のガイド装置４，４、複数のストッパ装置５，５、トリガ装置６及び天井扉保持装置７を備えている。
【００３２】
＜檻本体１＞
図１乃至図６において、檻本体１は、前後面８，９、左右面１０，１１、底面１２及び天井面１３で箱形に形成される。檻本体１は、獣類を収容（捕獲）する捕獲空間Ｈを有し、捕獲空間Ｈは各面８〜１３で区画される。
【００３３】
檻本体１の左面１０、及び右面１１は、側格子パネルユニット１４で構成される。側格子パネルユニット１４は、前後側の側格子パネル１５，１５で構成される。
各側格子パネル１５，１５は、枠組体１６及び格子体１７を有し、枠組立体１６は複数のＬ字平鋼を正方形に組立てて形成される。格子体１７は複数の線（材例えば、丸鋼線材）を格子配列（又は網目配列）して形成される。格子体１７は枠組立体１６内に配置され、各線材を各Ｌ字平鋼に固定（溶接）してなる。
【００３４】
各側格子パネル１５，１５は、檻本体１の前後方向ＦＲに並設され、ボルト／ナット等の連結部材（図示しない）で連結される。これにより、各側格子パネル１５，１５は、矩形の側格子パネルユニット１４を構成する。
【００３５】
檻本体１の底面１２は、底格子パネルユニット１８で構成される。底格子パネルユニット１８は、前後側の底格子パネル１９，１９で構成される。
各底格子パネル１９，１９は、枠組立体２０及び格子体２１を有し、枠組立体２０は複数のＬ字平鋼板を正方形に組立てて形成される。格子体２１は複数の線材（例えば、丸鋼線材）を格子配列（又は網目配列）して形成される。格子体２１は、枠組立体２０内に配置され、各線材を各Ｌ字平鋼に固定（溶接）してなる。
【００３６】
各底格子パネル１９，１９は、檻本体１の前後面ＦＲに並設され、ボルト／ナット等の連結部材（図示しない）で連結される。各底格子パネル１９，１９は、例えば側格子パネル１５と同形（正方形）に形成され、矩形の底格子パネルユニット１８を構成する。
【００３７】
檻本体１の天井面１３は、天井格子パネルユニット２２で構成される。天井格子パネルユニット２２は、前後側の天井格子パネル２３，２４で構成される。
各天井格子パネル２３，２４は、枠組立体２５及び格子体２６を有し、枠組立体２５は複数のＬ字平鋼２５Ａ，２５Ａ，…を正方形に組立てて形成される。格子体２６は、複数の線材２６Ａ，２６Ａ，…（例えば、丸鋼線材）を格子配列（又は網目配列）して形成される。格子体２６は、枠組立体２５内に配置され、各線材２６Ａ，２６Ａ，…を各Ｌ字平鋼２５Ａ，２４５，…に固定（溶接）してなる。
【００３８】
各天井格子パネル２３，２４は、檻本体１の前後方向ＦＲに並設され、ボルト／ナット等の連結部材（図示しない）で連結される。各天井格子パネル２３，２４は、例えば側格子パネル１５と同形（正方形）に形成され、矩形の天井格子パネルユニット２２を構成する。
【００３９】
檻本体１において、各側格子パネルユニット１４，１４は、檻本体１の左右方向ＲＬにおいて、底格子パネルユニット１８の左右端に配置される。各側格子パネルユニット１４，１４は、底格子パネルユニット１８に直交して配置され、底格子パネルユニット１８上に立設される。各側格子パネルユニット１４，１４、及び底格子パネルユニット１８は、ボルト／ナット等の連結部材（図示しない）で連結される。
【００４０】
天井格子パネルユニット２２は、各側格子パネルユニット１４，１４に直交し、底格子パネルユニット１８に並行して、各側格子パネルユニット１４，１４上に配置される。天井格子パネルユニット２２、及び各側格子パネルユニット１４，１４は、ボルト／ナット等の連結部材（図示しない）で連結される。
これにより、檻本体１は、各格子パネルユニット１４，１４，１８，２２で直方体の箱形に形成される。また、檻本体１は、各格子パネルユニット１４，１４，１８，２２で捕獲空間Ｈを区画する。
【００４１】
＜獣類侵入口２，２＞
図１乃至図６において、複数の獣類侵入口２，２は、檻本体１の前面８及び後面９に形成され、獣類を捕獲空間Ｈに導く。
各獣類侵入口２，２は、捕獲空間Ｈに開口し、捕獲空間Ｈを檻本体１外側に連通する。各獣類侵入口２，２は、各格子パネルユニット１４，１４，１８，２２（各面８〜１３）で区画され、例えば正方形開口に形成される。
【００４２】
＜捕獲開閉扉３，３＞
図１乃至図７において、複数の捕獲開閉扉３，３は、各獣類侵入口２，２を開閉する。
各捕獲開閉扉３，３は、檻本体１の前面８及び後面９に配置され、檻本体１の前後面８，９を構成する。
各捕獲開閉扉３，３は、檻本体１の底面１２側の閉位置Ｓ（図１参照）又は檻本体１の天井面１３側の開位置Ｔ（図１９参照）に移動され、開位置Ｔで各獣類侵入口２，２を開く（全開）。
各捕獲開閉扉３，３は、落下式扉を採用し、開位置Ｔから閉位置Ｓへ落下され、閉位置Ｓで各獣類挿入口２，２を閉じる（全閉）。
【００４３】
各捕獲開閉扉３，３は、扉格子体２７で構成される。扉格子体２７は複数の線材２７Ａ，２７Ａ，…（例えば、丸鋼線材）を格子配列（又は網目配列）して形成される。
【００４４】
＜ガイド装置４，４＞
図１乃至図８において、複数のガイド装置４，４は、各捕獲開閉扉３，３の移動、又は落下を案内（ガイド）する。
各ガイド装置４，４は、檻本体１の前面８及び後面９に配置される。
各ガイド装置４，４は、複数（一対）のガイド溝２８Ａ，２８Ａ、及び複数（一対）のガイド体２９，２９を有している。
【００４５】
各ガイド溝２８Ａ，２８Ａは、複数（一対）のガイド支持体２８，２８に形成されている。各ガイド溝２８Ａ，２８Ａ及び各ガイド支持体２８，２８は、各捕獲開閉扉３，３の開位置Ｔ及び閉位置Ｓ間に延設される。
【００４６】
各ガイド体２９，２９は、図８に示すように、捕獲開閉扉３に連結される。各ガイド体２９，２９は、檻本体１の左右方向ＲＬにおいて、扉格子体２７外側に配置され、扉格子体２７の左端及び右端で各横線材２７Ａ２，２７Ａ２，…に連結される。
【００４７】
各ガイド装置４，４において、各ガイド支持体２８，２８は、檻本体１の底格子パネルユニット１８に直交して配置され、各側格子パネルユニット１４，１４の前端及び後端に固定される。
【００４８】
各ガイド装置４，４において、各ガイド体２９，２９は、各ガイド支持体２８，２８のガイド溝２８Ａ内に摺動自在に配置（挿入）され、各捕獲開閉扉３，３を檻本体１の前後面８，９に配置する。
【００４９】
＜ストッパ装置５，５＞
図１乃至図８において、複数のストッパ装置５，５は、各捕獲開閉扉３，３の移動、又は落下を規制する。
各ストッパ装置５，５は、各捕獲開閉扉３，３の開位置Ｔ側（開位置Ｔ近傍）に配置され、各ガイド装置４，４の一方側のガイド支持体２８に固定される。
各ストッパ装置５，５は、ストッパ穴３０、ストッパ体３１及び操作レバ３２を有している。
【００５０】
ストッパ穴３０は、図８に示すように、ストッパ保持筒体３３内に形成され、一方側のガイド支持体２８を挿通し、ガイド溝２８Ａ内に開口される。ストッパ保持筒体３３は、開位置Ｔ近傍に配置され、一方側のガイド支持体２８に固定される。
【００５１】
ストッパ体３１は、例えばストッパピンで構成され（以下、「ストッパピン３１」と称する）、ストッパ穴３０内に摺動自在に配置（挿入）される。
【００５２】
操作レバ３２は、ストッパ保持筒体３３の長穴３３Ａを通してストッパピン３１に連結される。
【００５３】
各ストッパ装置５，５において、ストッパ穴３０は、図８に示すように、檻本体１の天井面１３側の開位置Ｔから底面１２側の閉位置Ｓへ傾斜され、ストッパピン３１を自重でガイド溝２８Ａ内へ突出自在とする。
【００５４】
各ストッパ装置５，５において、ストッパピン３１は、ガイド溝２８Ａ内に突出され、捕獲開閉扉３に連結されたガイド体２９に当接する。これにより、ストッパピン３１は、開位置Ｔにある捕獲開閉扉３の閉位置Ｓ側への落下を規制し、捕獲開閉扉３を開位置Ｔに保持する。また、ストッパピン３１は、閉位置Ｓにある捕獲開閉扉３の開位置Ｔ側への移動を規制する。
【００５５】
＜トリガ装置６＞
図１１及び図１２において、トリガ装置６は、開位置Ｔにある各捕獲開閉扉３，３を保持する。
トリガ装置６は、獣類の捕獲空間Ｈへの侵入に伴って、各捕獲開閉扉３，３の保持を解除し、各捕獲開閉扉３，３を開位置Ｔ（第２開位置Ｔ２）から閉位置Ｓへ落下させる。
トリガ装置６は、第１トリガ線材３４、第２トリガ線材３５、第３トリガ線材３６、トリガ連結体３７、及びトリガ保持体３８を含んで構成される。
【００５６】
第１トリガ線材３４は、図１１及び図１２に示すように、例えば金属製ワイヤで構成され、天井格子パネルユニット２２（天井面１３）上に配置される。第１トリガ線材３４は、開位置Ｔにある一方側の捕獲開閉扉３（前側・捕獲開閉扉３）に連結される。また、第１トリガ線材３４は、檻本体１の左右方向ＲＬにおいて、扉格子体２７の左側及び右側に連結される。
【００５７】
第２トリガ線材３５は、図１１及び図１２に示すように、例えば金属製ワイヤで構成され、天井格子パネルユニット２２（天井面１３）上に配置される。第２トリガ線材３５は、開位置Ｔにある他方側の捕獲開閉扉３（後側・捕獲開閉扉３）に連結される。第２トリガ線材３５は、檻本体１の左右方向ＲＬにおいて、扉格子体２７の左側及び右側に連結される。
【００５８】
第３トリガ線材３６は、図１１に示すように、例えば金属製ワイヤで構成され、捕獲空間Ｈ内に配置される。第３トリガ線材３６は、檻本体１の底面１１側で左右面１０，１１（各側格子パネルユニット１４，１４）間に架設される。また、第３トリガ線材３６は、檻本体１外側において、例えば右面１１（側格子パネルユニット１４）及び天井面１３（天井格子パネルユニット２２）に沿って配置される（図１１参照）。
【００５９】
トリガ連結体３７は、図１１に示すように、第１及び第２トリガ線材３４，３５間に位置し、天井格子パネルユニット２２（天井面１３）上に配置される。
トリガ連結体３７は、図１２に示すように、トリガ連結環材３９及びトリガ突起４０を有している。トリガ連結環材３９は、第１トリガ線材３４に連結される。トリガ突起４０は、第２トリガ線材３５に連結される。
【００６０】
トリガ連結体３７は、トリガ突起４０をトリガ連結環材３９内に挿入し、第１及び第２トリガ線材３４，３５を連結する［図１２（ａ）参照］。
トリガ連結体３７は、トリガ突起４０をトリガ連結環材３９内から抜出し、第１及び第２トリガ線材３４，３５の連結を解除する。
【００６１】
トリガ保持体３８は、図１１に示すように、第１乃至第３トリガ線材３４〜３６間に位置し、天井格子パネルユニット２２（天井面１３）上に配置される。トリガ保持体３８は、図１２に示すように、トリガ保持環材４１及びトリガ保持棒材４２を有する。
【００６２】
トリガ保持環材４１は、天井格子パネルユニット２２上において、第３トリガ線材３６に連結される。
トリガ保持環材４１は、第１トリガ線材３４を挿通し、第１トリガ線材３４に支持される。トリガ保持環材４１は、第１トリガ線材３４に沿って摺動自在にされる。
【００６３】
トリガ保持棒材４２は、図１２に示すように、トリガ突起４０に連結（一体形成）される。トリガ保持棒４２は、トリガ保持環材４１内に抜出自在に挿入される。
【００６４】
トリガ保持体３８は、トリガ保持棒材４２をトリガ保持環材４１内に挿入し、トリガ保持棒材３４をトリガ保持環材４１及び第１トリガ線材３４で支持する。これにより、トリガ保持体３８は、トリガ突起４０をトリガ連結環材３９内に挿入した状態を保持する。
【００６５】
＜天井脱出口４５Ａ，４５Ｂ、天井開閉扉４７，４７＞
図１乃至図６、図９及び図１０において、檻本体１の天井格子パネルユニット２２（天井面１３）は、複数の天井脱出口４５Ａ，４５Ｂ、複数の回転軸４６，４６，…、複数の天井開閉扉４７，４７及び複数の天井扉支持体４８，４８，…を含んで構成される。
【００６６】
図２及び図４において、複数の天井脱出口４５Ａ，４５Ｂは、獲空間Ｈに開口され、捕獲空間Ｈに収容（捕獲）された捕獲目的以外の獣類を天井面１３から檻本体１外側へ放獣（脱出）させる。
各天井脱出口４５Ａ，４５Ｂは、各天井格子パネル２３，２４に形成され、捕獲空間Ｈを天井面１３から檻本体１外側に連通する。
各天井脱出口４５Ａ，４５Ｂは、例えば矩形開口に形成され、檻本体１の前後方向ＦＲに並設される。
【００６７】
複数の回転軸４６，４６，…は、図２及び図４に示すように、例えば丸鋼線材で構成され、各天井格子パネル２３，２４に配置される。
【００６８】
前側・天井格子パネル２３において、各回転軸４６，４６は、天井脱出口４５Ａを間に配置して、檻本体１の左右方向ＲＬに並設される。後側・天井格子パネル２４において、各回転軸４６，４６は、天井脱出口４５を間に配置して、檻本体１の左右方向ＲＬに並設される。
【００６９】
各回転軸４６，４６，…は、各天井脱出口４５Ａ，４５Ｂの左端又は右端で各天井格子パネル２３，２４に固定される。各回転軸４６，４６は、檻本体１の前後方向ＦＲに延設されている。
【００７０】
複数の天井開閉扉４７，４７は、各天井脱出口４５Ａ，４５Ｂを開閉する。各天井開閉扉４７，４７は、天井格子パネルユニット２２（天井面１３）に回転自在に支持され、回転に伴って、各天井脱出口４５Ａ，４５Ｂを開く天井閉位置Ｐ（図１４参照）、又は各天井脱出口４５，４５を閉じる天井閉位置Ｑ（図１参照）にされる。
【００７１】
各天井開閉扉４７，４７は、図２に示すように、複数（一対）の天井扉体４９，４９で構成される。
各天井扉体４９，４９，…は、図９及び図１０に示すように、複数のＬ字平鋼５１，５１、天井扉格子体５２及び回転軸支持体５３を有している。
【００７２】
天井扉格子体５２は、複数の丸鋼線材５２Ａ，５２Ａ，…を格子配列（又は網目配列）して形成される。天井扉格子体５２は、各Ｌ字平鋼５１，５１間に配置され、複数の縦線材５２Ａ１，５２Ａ１，…を各Ｌ字平鋼５１，５１に固定（溶接）してなる。
【００７３】
回転軸支持体５３は、複数のＵ字線材５３Ａ，５３Ａ，…（例えば、Ｕ字丸鋼線材）で構成され、各Ｕ字線材５３Ａ，５３Ａ，…は、天井扉体４７（檻本体１）の前後方向ＦＲに間隔を隔てて、各Ｌ字平鋼５１，５１間に配置される。各Ｕ字線材５３Ａ，５３Ａ，…は、天井扉格子体４９外側の縦線材５２Ａ１に固定され、縦線材５２Ａ１とで回転軸穴５３Ｂを形成する。
【００７４】
複数の天井扉支持体４８，４８，…は、図２及び図４に示すように、各天井格子パネル２３，２４に配置される。
【００７５】
前側・天井格子パネル２３において、各天井扉支持体４８，４８は、檻本体１の前後方向ＦＲにおいて、天井脱出口４５Ａの前端又は後端に配置され、天井格子パネル２３に支持される。各天井支持体４８，４８は、図１０（ｂ）に示すように、捕獲空間Ｈ内に配置される。
【００７６】
後側・天井格子パネル２４において、各天井支持体４８，４８は、天井格子パネル２４と同様に、天井脱出口４５Ｂの前端又は後端に配置され、天井格子パネル２４に支持される。
【００７７】
各天井開閉扉４７，４７において、各天井扉体４９，４９は、図２に示すように、各天井脱出口４５，４５内に配置され、檻本体１の左右方向ＲＬに並設される。各天井扉体４９，４９，…は、図２及び図１０に示すように、各天井格子パネル２３，２４の各回転軸４６，４６，…を各Ｕ字線材５３Ａ，５３Ａ，…の回転軸穴５３Ｂに挿通し、各回転軸４６，４６，…に回転自在に支持される。
【００７８】
各天井開閉扉４７，４７において、各天井扉体４９，４９は、回転に伴って、各天井脱出口４５Ａ，４５Ｂを開く天井開位置Ｐ（図１４参照）、又は各天井脱出口４５を閉じる天井閉位置Ｑ（図１参照）にされる。
各天井扉体４９，４９，…は、天井閉位置Ｑで各天井扉支持体４８，４８，…に支持される[図１０（ｂ）参照]。
【００７９】
また、各天井開閉扉４７，４７は、図２に示すように、各天井扉体４９，４９，…を各天井脱出口４５Ａ，４５Ｂの右側又は左側に配置し、檻本体１の前後方向ＦＲに並設する、左側の各天井扉体４９，４９、及び右側の各天井扉体４９，４９を構成する。これにより、各天井開閉扉４７，４７は、各天井扉体４９，４９，…を檻本体１の左右方向ＲＬに開く、所謂「観音開き扉」を構成する。
【００８０】
＜天井扉保持装置７＞
図１乃至図６、図１３において、天井扉保持装置７は、天井開位置Ｐにある各天井開閉扉４７，４７（各天井扉体４９，４９，…）を保持する。
【００８１】
天井扉保持装置７は、図１３に示すように、複数の補助パネル体５５，５５で構成される。各補助パネル５５，５５は、複数のＬ字平鋼５６，５６及び補助格子体５７を有している。補助格子体５７は複数の線材５７Ａ，５７Ａ，…（例えば、丸鋼線材）を格子配列（又は網目配列）して形成される。補助格子体５７は、Ｌ字平鋼５６，５６間に配置され、複数の横線材５７Ａ２，５７Ａ２，…を各Ｌ字平鋼５６，５６に固定（溶接）してなる。
【００８２】
＜獣類捕獲罠Ｘ１の使用＞
次に、獣類捕獲罠Ｘ１の使用について、図１乃至図２３を参照して説明する。
【００８３】
なお、説明の便宜上、各捕獲開閉扉３，３は、閉位置Ｓで各獣類侵入口２，２を閉じており、各天井開閉扉４７，４７は、天井閉位置Ｑで各天井脱出口４５，４５を閉じているものとする（図１及び図２参照）。
【００８４】
作業者は、獣類捕獲罠Ｘ１を捕獲目的の獣類、例えば猪の獣道に設置する。
【００８５】
＜１：天井脱出口・開＞
図１４乃至図１６において、各天井脱出口４５Ａ，４５Ｂを開く。
作業者は、図１及び図２に示すように、左側の各天井扉体４９，４９及び右側の各天井扉体４９，４９を回転する。各天井扉体４９，４９，…は、各回転軸４６，４６，…を回転中心とし、天井格子パネルユニット２２から離間しつつ天井面１３の上方に回転され、天井開位置Ｐにされる（図１４乃至図１６参照）。
【００８６】
天井開位置Ｐは、図１４に示すように、各天井扉体４９，４９，…を天井格子パネルユニット２２（天井面１３）に直交させて、天井面１３上に立設する位置である。
これにより、各天井脱出口４５Ａ，４５Ｂは、開かれ、捕獲空間Ｈを天井面１３から檻本体１外側に連通する。
【００８７】
＜２：天井扉保持装置・セット＞
図１７及び図１８において、天井扉保持装置７を各天井開閉扉４７，４７に連結する。
作業者は、天井扉保持装置７において、複数の補助パネル体５５，５５を用意し、各補助パネル体５５，５５を左側の各天井扉体４９，４９及び右側の各天井扉体４９，４９間に配置する（図１７及び図１８参照）。
【００８８】
各補助パネル体５５，５５は、図１８に示すように、各天井格子パネル２３，２４上に配置される。
【００８９】
前側・天井格子パネル２３において、補助パネル体５５は、天井脱出口４５Ａ前端に位置し、左右側の各天井扉体４９，４９間に配置される。
後側・天井格子パネル２４において、補助パネル体５５は、天井脱出口４５Ｂ後端に位置し、左右側の各天井扉体４９，４９間に配置される。
このとき、各補助パネル体５５，５５は、各Ｌ字平鋼５６，５６を左右側の天井扉体４９，４９の各Ｌ字平鋼５１，５１に当接して配置される。
【００９０】
また、各補助パネル体５５，５５は、図１７に示すように、檻本体１の天井格子パネルユニット２２（天井面１３）に直交し、檻本体１の天井面１３上に立設される。
【００９１】
続いて、作業者は、図１７に示すように、各補助パネル体５５，５５を左右側の各天井扉体４９，４９に連結する。
各補助パネル体５５，５５、及び各左右側の天井扉体４９，４９は、図１７（ａ）に示すように、各Ｌ字平鋼５１，５６をボルト／ナット等の連結部材（図示しない）で連結する。
【００９２】
また、右側の各天井扉体４９，４９は、図１６に示すように、各Ｌ字平鋼５１，５１をボルト／ナット等の連結部材（図示しない）で連結し、同様に、左側の各天井扉体４９，４９もボルト／ナット等の連結部材（図示しない）で連結する。
【００９３】
これにより、天井扉保持装置７において、各補助パネル体５５，５５は、各天井扉体４９，４９，…の回転を規制する。左側の各天井扉体４９，４９、及び右側の各天井扉体４９，４９は、天井開位置Ｐから天井閉位置Ｑへ回転することなく、各補助パネル体５５，５５で天井開位置Ｐに保持され、各天井脱出口４５Ａ，４５Ｂを閉じない。
【００９４】
＜３：捕獲開閉扉・開＞
図１９において、各捕獲開閉扉３，３を開く。
作業者は、図２２に示すように、各ストッパ装置５，５の操作レバ３２，３２を操作し、ストッパピン３１，３１をストッパ穴３０，３０内に退避する。
【００９５】
続いて、作業差は、各捕獲開閉扉３，３（扉格子体２７）を閉位置Ｓ（図１参照）から開位置Ｔ（図１９参照）に移動する。各捕獲開閉扉３，３は、各ガイド溝２８Ａ，２８Ａ及び各ガイド体２９，２９で案内（ガイド）されて、開位置Ｔに移動される。これにより、各捕獲開閉扉３，３は各獣類侵入口２，２を全開する。
【００９６】
また、開位置Ｔにある各捕獲開閉扉３，３は、図１９及び図２３（ａ）に示すように、各ストッパ装置５，５のストッパピン３１より上方側に位置される。
そして、各捕獲開閉扉３，３を開位置Ｔに移動すると、各ストッパ装置５，５のストッパピン３１は、図２３（ａ）に示すように、ストッパピン３１の自重でストッパ穴３０を摺動し、各ガイド装置４，４のガイド溝２８Ａ内に突出される。
【００９７】
また、各ストッパ装置５，５のストッパピン３１は、ガイド溝２８Ａ内で、開位置Ｔにある各捕獲開閉扉３，３に連結されたガイド体２９の下端２９ｂに当接する。
これにより、各ストッパ装置５，５において、ストッパピン３１（ストッパ体）は、各捕獲開閉扉３，３の閉位置Ｓへの移動を規制し、各捕獲開閉扉３，３を開位置Ｔに保持（支持）する［図２３（ａ）参照］。
【００９８】
＜４：トリガ装置・セット＞
図１１及び図１２において、トリガ装置６をセットする。
作業者は、図１２（ａ）に示すように、トリガ突起４０をトリガ連結環材３９内に挿入し、第１及び第２トリガ線材３４，３５を連結する。また、トリガ保持棒材４２をトリガ保持環材４１内に挿入する。このとき、各捕獲開閉扉３，３は、各ストッパ装置５，５で開位置Ｔに保持（支持）されているので、作業者は、各捕獲開閉扉３，３を支持することなく、簡単にトリガ装置６をセットできる。
これにより、トリガ装置６は、図１１に示すように、各捕獲開閉扉３，３を開位置Ｔに保持し、各獣類侵入口２，２を全開する。
【００９９】
続いて、作業者は、図２３に示すように、各ストッパ装置５，５において、ストッパピン３１（ストッパ体）をガイド溝２８Ａ内からストッパ穴３０内に退避し、各ストッパ装置５，５（ストッパピン３１）による各捕獲開閉扉３，３の保持を解除する。
これにより、各捕獲開閉扉３，３は、開位置Ｔ（第１開位置Ｔ）から閉位置Ｓ側の第２開位置Ｔ２にされる。第２開位置Ｔ２は、各捕獲開閉扉３，３で各獣類侵入口２，２を全開し、図２３（ｂ）に示すように、各捕獲開閉扉３，３に連結されたガイド体２９でストッパ穴３０を閉塞する位置である。
従って、各捕獲開閉扉３，３は、各ストッパ装置５，５のストッパピン３１（ストッパ体）で保持される第１開位置Ｔ、及びトリガ装置６で保持される第２開位置Ｔ２にされる。
【０１００】
また、各ストッパ装置５，５のストッパピン３１（ストッパ体）は、図２３（ｂ）に示すように、ストッパ穴３０内において、第２開位置Ｔ２にある各捕獲開閉扉３，３に連結されたガイド体２９の側端２９ｃに当接される。
【０１０１】
＜５：獣類捕獲／捕獲開閉扉・閉＞
作業者は、各天井開閉扉４７，４７を天井開位置Ｐにし、各捕獲開閉扉３，３をトリガ装置６で保持すると、捕獲空間Ｈに餌を撒く。
【０１０２】
猪、熊又は猿等の獣類は、各獣類侵入口２，２から捕獲空間Ｈに侵入し、餌を物色する。獣類は、餌の物色中に、第３トリガ線材３６に接触し、第３トリガ線材３６を檻本体１の前面８側に移動させる。第３トリガ線材３６の移動に伴って、トリガ保持環材４１も第１トリガ線材３４に沿って摺動し、トリガ保持棒材４２をトリガ保持環材４２内から抜出す［図１２（ｂ）参照］。
【０１０３】
続いて、トリガ突起３７は、図１２（ｂ）に示すように、トリガ連結環材３９内から抜出され、第１及び第２トリガ線材３４，３５の連結を解除する。
これにより、トリガ装置６は、各捕獲開閉扉３，３の保持を解除し、各捕獲開閉扉３，３は、第１及び第２トリガ線材３４，３５と共に、各ガイド溝２８Ａ，２８Ａ及び各ガイド体２９，２９で案内（ガイド）され、開位置Ｔから閉位置Ｓに落下される。各捕獲開閉扉３，３は、閉位置Ｓで各獣類侵入口２，２を閉じる（図１参照）。捕獲空間Ｈに侵入した獣類は、檻補体１の捕獲空間Ｈに収容（捕獲）される。
【０１０４】
また、各ガイド装置４，４において、ガイド体２９は、図２２（ｂ）に示すように、各捕獲開閉扉３，３の落下に伴って、各ストッパ装置５，５のストッパ穴３０を通過する。
これにより、各ストッパ装置５，５において、ストッパピン３１は、図２２（ａ）に示すように、ガイド溝２８Ａ内に突出され、各ガイド装置４，４のガイド体２９の上端２９ａに当接する。各ストッパ装置５，５のストッパピン３１は、閉位置Ｓにある各捕獲開閉扉３，３の開位置Ｔへの移動を規制し、各捕獲開閉扉３，３は各獣類侵入口２，２を開かない。
【０１０５】
獣類捕獲罠Ｘ１では、捕獲目的の獣類、例えは、猪等を檻本体１の捕獲空間Ｈに収容（捕獲）できる。
また、獣類捕獲罠Ｘ１では、捕獲目的以外の獣類、例えば２足立ちする熊、猿等を誤って錯誤捕獲しても、熊、猿等は各天井脱出口４５，４５から檻補体１外側に脱出でき、捕獲目的以外の獣類を放獣するため、各捕獲開閉扉３，３を開く必要もない。
更に、獣類捕獲罠Ｘ１では、人間が誤って捕獲空間Ｈ内に閉じ込められても、各天井脱出口４５，４５から檻本体１外側に脱出できる。
【０１０６】
また、作業者は、天井開位置Ｐにある各天井扉体４９，４９、及び各補助パネル体５５，５５からボルト／ナット等の連結部材を取除き、各天井扉体４９，４９及び各補助パネル体５５，５５の連結を解除する。
【０１０７】
続いて、作業者は、各補助パネル体５５，５５を檻本体１の天井格子パネルユニット２２から取除き、各天井開閉扉４７，４７の各天井扉体４９，４９を回転させる。左側の各天井扉体４９，４９、及び右側の各天井扉体４９，４９は、各回転軸４６，４６，…を回転中心として、天井格子パネルユニット２２（天井面１３）に近接しつつ回転され、得天井閉位置Ｑにされる（図１参照）。
【０１０８】
天井閉位置Ｑにある各天井扉体４９，４９，…は、図２に示すように、各天井扉支持体４８，４８，…上に載置され、各天井脱出口４５Ａ，４５Ｂを閉じる（全閉）。
また、作業者は、各天井扉体４９，４９，…及び各天井扉支持体４８，４８，…をボルト／ナット等の連結部材（図示しない）で連結し、各天井扉体４９，４９，…を開かないようにする。
これにより、天井閉位置Ｑにある各天井扉体４９，４９，…は、各天井格子パネル２３，２４（天井面１３）の一部を構成する。
【０１０９】
第１実施形態の獣類捕獲罠Ｘ１では、各天井脱出口４５Ａ，４５Ｂを全開する構成に限定されない。
【０１１０】
図２０及び図２１において、獣類捕獲罠Ｘ１では、前側・天井格子パネル２３の天井脱出口４５Ｂを各天井扉体４９，４９で全閉し、後側・天井格子パネル２４の天井脱出口４５Ａを全開する構成を採用できる。
【０１１１】
天井扉保持装置７の各補助パネル体５５，５５は、図２０に示すように、左側の天井扉体４９及び右側の天井扉体４９間に配置する。各補助パネル体５５，５５及び左右側の天井扉体４９，４９は、ボルト／ナット等の連結部材（図示しない）で連結する。
これにより、第１実施形態の獣類捕獲罠Ｘ１では、任意の１又は複数の天井扉体４９，４９，…を回転することで、各天井脱出口４５Ａ，４５Ｂの全部又は一部を開くことができる。
【０１１２】
＜第２実施形態＞
第２実施形態の獣類捕獲罠Ｘ２について、図２４乃至図３２を参照して説明する。
図２４乃至図３２において、図１乃至図２３と同一符号は同一部材及び同一構成であるので、その詳細な説明は省略する。
【０１１３】
図２４乃至図３２において、第２実施形態の獣類捕獲罠Ｘ２は、獣類捕獲罠Ｘ１に対し、天井扉保持装置を相違させている。
第２実施形態の獣類捕獲罠Ｘ２（以下、「獣類捕獲罠Ｘ２」と称する）は、各補助パネル体５５，５５を各天井格子パネル２３，２４に回転自在に支持する。各補助パネル体５５，５５は、回転に伴って、パネル収納位置Ｚ（図２７参照）又は天井開位置Ｐ（図３２参照）にされる。
獣類捕獲罠Ｘ２は、獣類捕獲罠Ｘ１と同様、檻本体１、各獣類侵入口２，２、各捕獲開閉扉３，３、各ガイド装置４，４、各ストッパ装置５，５及びトリガ装置６を備えている（図１乃至図１２参照）。
【０１１４】
図２４乃至図２７において、檻本体１（天井面１３）は、複数の第１天井扉支持体６１，６１，…、複数の第２天井扉支持体６２，６２、及び複数のパネル支持体６３，６３，…を備えている。
【０１１５】
複数の第１天井扉支持体６１，６１，…は、各天井脱出口４５Ａ，４５Ｂ内に配置され、各天井格子パネル２３，２４に固定される。
【０１１６】
前側・天井格子パネル２３において、各第１天井扉支持体６１，６１は、天井脱出口４５Ａ前端に位置し、檻本体１の左右方向ＲＬに間隔を隔てて配置される。
後側・天井格子パネル２４において、各第１天井扉支持体６１，６１は、天井脱出口４５Ｂ後端に位置し、檻本体１の左右方向ＲＬに間隔を隔てて配置される。
【０１１７】
複数の第２天井扉支持体６２，６２は、各天井脱出口４５Ａ，４５Ｂ内に配置され、各天井格子パネル２３，２４に固定される。前側・天井格子パネル２３において、第２天井扉支持体６２は、天井脱出口４５Ａ後端に配置される。後側・天井格子パネル２４において、第２天井扉支持体６２は、天井脱出口４５Ｂ前端に配置される。
【０１１８】
複数のパネル支持体６３，６３，…は、各天井脱出口４５Ａ，４５Ｂ内に配置され、各天井格子パネル２３，２４に固定される。各パネル支持体６３，６３，…は、図２７に示すように、天井閉位置Ｑにある各天井扉体４９，４９下方側で、捕獲空間Ｈ内に配置される。
【０１１９】
図２４乃至図２８において、天井扉保持装置６７は、天井開位置Ｐにある各天井扉体４９，４９，…を保持する。
天井扉保持装置６７は、複数の補助回転軸６８，６９、及び複数の補助パネル体５５を含んで構成される。
【０１２０】
複数の補助回転軸６８，６９は、各天井脱出口４５Ａ，４５Ｂ内に配置される。各補助回転軸６８，６９は、各回転軸４６，４６に直交し、各第１天井扉支持体６１，６１間に配置される。各補助回転軸６８，６９は、檻本体１の左右方向ＲＬに延設され、各天井格子パネル２３，２４に固定される。
【０１２１】
また、各補助回転軸６８，６９は、図２７に示すように、天井閉位置Ｑにある各天井扉体４９，４９（各回転軸４６，４６）下方側で、捕獲空間Ｈ内に配置される。
複数の補助パネル体５５，５５は、図２８に示すように、複数（一対）のＬ字平鋼５６，５６、補助格子体５７、及び複数のＵ字線材５７Ｂ，５７Ｂを有する。
【０１２２】
複数のＵ字線材５７Ｂ，５７Ｂは、例えばＵ字丸鋼線材で構成され、補助パネル体５５（檻本体１）の左右方向ＲＬに間隔を隔てて、各Ｌ字平鋼５６，５６間に配置される。各Ｕ字線材５７Ｂ，５７Ｂは、補助格子体５７外側の横線材５７Ａ２に固定（溶接）され、横線材５７Ａ２とで回転軸長穴５７Ｃを形成する。
【０１２３】
天井扉保持装置６７において、各補助パネル体５５，５５は、各天井脱出口４５Ａ，４５Ｂに配置され、各Ｕ字線材５７Ｂ，５７Ｂを第１天井扉支持体６１，６１間に位置する。各補助パネル体５５，５５は、各補助回転軸６８，６９を各Ｕ字線材５７Ｂ，５７Ｂの回転軸長穴５７Ｃ内に挿通し、各天井格子パネル２３，２４に回転自在に支持される。
【０１２４】
各補助パネル体５５，５５は、回転に伴って、パネル収納位置Ｚ又は天井開位置Ｐにされる。パネル収納位置Ｚは、図２７に示すように、各補助パネル体５５，５５を捕獲空間Ｈ内に収納し、各パネル支持体６３，６３，…上に載置する位置である。
【０１２５】
＜獣類捕獲罠Ｘ２の使用＞
次に、獣類捕獲罠Ｘ２の使用について、図２４乃至図３２を参照して説明する。
【０１２６】
なお、説明の便宜上、各捕獲開閉扉３，３は、閉位置Ｓで各獣類侵入口２，２を閉じ、各天井開閉扉４７，４７は、天井閉位置Ｑで各天井脱出口４５Ａ，４５Ｂを閉じており、各補助パネル体５５，５５はパネル収納位置Ｚに位置されるものとする[図２４及び図２７（ａ）参照]。
【０１２７】
＜ａ：天井脱出口・開＞
図２９乃至図３２において、天井脱出口４５Ａ，４５Ｂを開く。
作業者は、図２９及び図３０に示すように、左側の各天井扉体４９，４９、及び右側の各天井扉体４９，４９を回転する。各天井扉体４９，４９，…は、回転に伴って、天井開位置Ｐにされる。
【０１２８】
続いて、作業者は、図３０及び図３１に示すように、各補助パネル体５５，５５を第２天井扉支持体６２，６２側に引出し、回転する。各補助パネル体５５，５５は、各補助回転軸６８，６９を回転中心とし、各天井脱出口４５Ａ，４５Ｂを通して檻本体１外側に回転される［図２７（ｂ）参照］。
【０１２９】
また、各補助パネル体５５，５５は、各天井格子パネル２３，２４（天井面１３）上方側に回転され、左側の各天井扉体４９，４９及び右側の各天井扉体４９，４９間に配置される（図３１参照）。
このとき、各補助パネル体５５，５５は、各Ｌ平鋼５６，５６を左右側の天井扉体４９，４９の各Ｌ字平鋼５１，５１に当接して配置される。
【０１３０】
作業者は、図２７（ｂ）及び図３１に示すように、各補助パネル体５５，５５を各天井格子パネル２３，２４側に摺動する。これにより、各補助パネル体５５，５５は、パネル収納位置Ｚから天井開位置Ｐにされる（図３２参照）。
続いて、作用者は、図３２に示すように、天井開位置Ｐにおいて、各補助パネル体５５，５５及び左右側の各天井扉体４９，４９，…をボルト／ナット等の連結部材（図示しない）で連結する。
【０１３１】
作業者は、各補助パネル体５５，５５及び各天井扉体４９，４９，…からボルト／ナットの連結部材を取外し、各補助パネル体５５，５５を回転させる。各補助パネル５５，５５は、回転に伴って、各天井脱出口４５Ａ，４５Ｂを通して、パネル収納位置Ｚにされる。
【０１３２】
続いて、作業者は、左側の各天井扉４９，４９、及び左側の各天井扉体４９，４９を回転させる。各天井扉体４９，４９，…は、回転に伴って、天井開位置Ｐから天井閉位置Ｑにされる。
【０１３３】
また。天井閉位置Ｑにある各天井扉体４９，４９，…は、図２７（ａ）に示すように、パネル収納位置Ｚにある各補助パネル体５５，５５に隙間Ｋ１を隔てて配置され、各天井脱出口４５Ａ，４５Ｂを閉じる（全閉）。
なお、獣類捕獲罠Ｘ２において、各捕獲開閉扉３，３の開閉等は、獣類捕獲罠Ｘ１と同様である。
【０１３４】
獣類捕獲罠Ｘ２では、各天井開閉扉４７，４７を天井閉位置Ｐにし、各天井脱出口４５Ａ，４５Ｂを開く。続いて、天井扉保持装置６７の各補助パネル体５５，５５を回転する。
これにより、各補助パネル体５５，５５は、回転に伴って、左右側の天井扉体４９，４９，…間に配置でき、各天井扉体４９，４９，…に連結することで、各天井開閉扉４７，４７（各天井扉体４９，４９，…）を天井開位置Ｐに保持できる。
しかも、各補助パネル体５５，５５は、各補助回転軸６８，６９に回転自在に支持され、予め檻本体１の天井面１３に配置されるので、別途、補助パネル体５５，５５を用意し、各天井扉体４９，４９，…間に配置する必要がない。
また、各補助パネル体５５，５５は、パネル収納位置Ｚで檻本体１の捕獲空間Ｈ内に収納できる。
【０１３５】
＜第３実施形態＞
第３実施形態の獣類捕獲罠Ｘ３について、図３３乃至図７４を参照して説明する。
図３３乃至図７４において、図１乃至図３２と同一符号は同一部材及び同一構成であるので、その詳細な説明は省略する。
【０１３６】
図３３乃至図７４において、第３実施形態の獣類捕獲罠Ｘ３は、獣類捕獲罠Ｘ１に対し、檻本体、捕獲開閉扉、ガイド装置及びトリガ装置を相違させている。
第３実施形態の獣類捕獲罠Ｘ３（以下、「獣類捕獲罠Ｘ３」と称する）は、獣類捕獲罠Ｘ１に対し、天井開閉扉で天井脱出口を開閉する構成（開閉機構）を相違させている。
獣類捕獲罠Ｘ３は、獣類捕獲罠Ｘ１に比し、扉等規制装置及び扉視認装置を備える。
【０１３７】
図３３乃至図７６において、獣類捕獲罠Ｘ３は、檻本体１０１、獣類侵入口２、捕獲開閉扉１０３、ガイド装置１０４、ストッパ装置５及びトリガ装置１０６を備えている。
また、獣類捕獲罠Ｘ３は、複数の扉等規制装置１０７，１０７及び扉視認装置１０８を備える。
【０１３８】
＜檻本体１０１＞
図３３乃至図３７において、檻本体１０１は、前後面８，９、左右面１０，１１、底面１２及び天井面１３で箱形に形成され、捕獲空間Ｈを有し、捕獲空間Ｈは各面８〜１３で区画される。
【０１３９】
檻本体１０１の左右面１０，１１は、側格子パネルユニット１４で構成され、檻本体１０１の底面１２は底格子パネルユニット１８（前後側・天井格子パネル２３，２４）で構成される。檻本体１０１の天井面１３は天井格子パネルユニット２２で構成される。
【０１４０】
檻本体１０１の後面９は、後格子パネル１０９で構成される。後格子パネル１０９は、枠組立体１１０及び格子体１１１で構成され、枠組立体１１０は複数のＬ字平鋼を正方形に組立てて形成される。格子体１１１は複数の線材（例えば、丸鋼線材）を格子配列（又は網目配列）して形成される。格子体１１１は、枠組立体１１０内に配置され、各線材を各Ｌ字平鋼に固定（溶接）してなる。
【０１４１】
後格子パネル１０９は、檻本体１０１の後面９に配置され、各側格子パネルユニット１４，１４にボルト／ナット等の連結部材（図示しない）で連結される。
【０１４２】
檻本体１０１は、各格子パネルユニット１４，１４，１８，２２及び底格子パネル１０９で直方体の箱形に形成される。また、檻本体１０１は。各格子パネルユニット１４，１４，１８，２２及び後格子パネル１０９で捕獲空間Ｈを区画する。
【０１４３】
＜獣類侵入口２＞
図３３乃至図３７において、獣類侵入口２は、檻本体１０１の前面８に形成される。獣類侵入口２は、捕獲空間Ｈに開口し、捕獲空間Ｈを檻本体１０１外側に連通させる。
獣類侵入口２は、各格子パネルユニット１４，１４，１８，２２で区画される。
【０１４４】
＜捕獲開閉扉１０３＞
図３３乃至図３９において、捕獲開閉扉１０３は、獣類侵入口２を開閉する。捕獲開閉扉１０３は、落下式扉を採用し、開位置Ｔ（図５５参照）又は閉位置Ｓ（図５３参照）にされる。また、捕獲開閉扉１０３は、檻本体１の前面８を構成する。
【０１４５】
捕獲開閉扉１０３は、図３８及び図３９に示すように、扉枠組立体１１２及び扉格子体１１３で構成され、扉枠組立体１１２は複数のＬ字平鋼１１２Ａ，１１２Ａ，…で正方形に形成される。扉格子体１１３は複数の線材（例えば、丸鋼線材）を格子配列（又は網目配列）して形成される。扉格子体１１３は、扉枠組立体１１２内に配置され、各線材を各Ｌ字平鋼１１２Ａ，１１２Ａ，…に固定（溶接）してなる。
【０１４６】
＜ガイド装置１０４＞
図３３乃至図４１において、ガイド装置１０４は、捕獲開閉扉１０３の移動、又は落下を案内（ガイド）する。
ガイド装置１０４は、複数（一対）のガイド溝１１４Ａ，１１４Ａ、複数（一対）のガイド体１１５，１１５、及び複数のガイド筒材１１６，１１６，…を有する。
【０１４７】
複数のガイド溝１１４Ａ，１１４Ａは、複数（一対）のガイド支持体１１４，１１４に形成される。各ガイド支持体１１４，１１４は、例えばＵ字平鋼で構成される。
各ガイド溝１１４Ａ，１１４Ａ、及び各ガイド支持体１１４，１１４は、捕獲開閉扉１０３の開位置Ｔ及び閉位置Ｓ間に延設される。
【０１４８】
複数のガイド体１１５，１１５は、捕獲開閉扉１０３に連結される。各ガイド体１１５，１１５は、図３８及び図３９に示すように、扉格子体１１３を間に配置し、扉枠組立体１１２の各Ｌ字平鋼１１２Ａ，１１２Ａに固定（一体形成）される。また、各ガイド体１１５，１１５は、各Ｌ字平鋼１１２Ａ，１１２Ａから捕獲開閉扉１０３（檻本体１０１）の左右方向ＲＬへ突出される。
【０１４９】
複数のガイド筒材１１６，１１６，…は、各ガイド支持体１１４，１１４外側で間隔を隔てて配置され、各ガイド支持体１１４，１１４に固定される。
【０１５０】
ガイド装置１０４において、各ガイド支持体１１４，１１４は、図３５及び図３６に示すように、檻本体１０１の前面８に配置され、各ガイド筒材１１６，１１６，…を各側格子パネルユニット１４，１４にボルト／ナット１１７の連結部材で連結する［図４９参照］。
各ガイド体１１５，１１５は、各ガイド溝１１４Ａ，１１４Ａ内に摺動自在に配置（挿入）され、捕獲開閉扉３を各ガイド支持体１１４，１１４間に配置する。
これにより、捕獲開閉扉１０３は、図３５及び図３６に示すように、格子パネルユニット１４，１４，１８，２２前端（檻本体１０１前端）に間隔Ｋ２を隔てて、檻本体１０１の前面８に配置される［図４９参照］。
【０１５１】
＜ストッパ装置５＞
図３３乃至図４２において、ストッパ装置５は、捕獲開閉扉１０３の移動、又は落下を規制する。
ストッパ装置５は、図４２に示すように、ストッパ穴３０、ストッパピン３１（ストッパ体）及び操作レバ３２を有している。ストッパ穴３０は、ストッパ筒材３３内に形成され、ストッパ筒材３３は、図４２に示すように、ガイド筒材１１６の反対側に配置される。また、ストッパ筒材３３は、開位置Ｔ側（開位置Ｔ近傍）で一方側のガイド支持体１１４に固定される。
【０１５２】
ストッパ穴３０は、ガイド支持体１１４のガイド溝１１４Ａ内に開口される。ストッパ穴３０は、開位置Ｔから閉位置Ｓへ傾斜され、ストッパピン３１を自重でガイド溝１１４Ａ内に突出自在とする。ガイドピン３１（ストッパ体）は、ストッパ穴３０内に摺動自在に配置（挿入）される。
【０１５３】
＜トリガ装置１０６＞
図４３乃至図４５、図５９乃至図６２において、トリガ装置１０６は、開位置Ｔにある捕獲開閉扉１０３を保持する。
トリガ装置１０６は、獣類の捕獲空間Ｈの侵入に伴って、捕獲開閉扉１０３の保持を解除し、捕獲開閉扉１０３を開位置Ｔから閉位置Ｓへ落下させる。
トリガ装置１０６は、トリガ線材１２１、トリガ餌付枠体１２２、トリガ餌付支持体１２３、トリガ保持竿体１２４及びトリガ連結体１２５を含んで構成される。
【０１５４】
トリガ線材１２１は、例えば金属製ワイヤで構成され、図６１及び図６２示すように、捕獲空間Ｈ内に配置される。トリガ線材１２１は、トリガ餌枠体１２２に連結される。また、トリガ線材１２１は、檻本体１０１外側で側格子パネルユニット１４に沿って配置され、天井格子パネルユニット２２（天井面１３）上まで延びている。
【０１５５】
トリガ餌付枠体１２２は、図４３に示すように、複数の縦線材１２２Ａ，１２２Ａ（例えば、丸鋼線材）、及び複数の横線材１２２Ｂ，１２２Ｂ（例えば、丸鋼線材）で矩形に形成され、各横線材１２２Ｂ，１１２Ｂは各縦線材１２２Ａ，１２２Ａから突出している。
【０１５６】
トリガ餌付枠体１２２は、中間横線材１２２Ｃ（例えば、丸鋼線材）、複数のトリガ回転軸１２２Ｄ，１２２Ｄ、及び複数の餌付部材１２６，１２６，…を有している。中間横線材１２２Ｃは、各横線材１２２Ｂ，１１２Ｂに間隔を隔てて、各縦線材１２２Ａ，１２２Ａに連結される。各トリガ回転軸１２２Ｄ，１２２Ｄは、各横線材１２２Ｂ，１２２Ｂに連続して形成され、各縦線材１２２Ａ，１２２Ａに並設される。
【０１５７】
各餌付部材１２６，１２６，…は、Ｕ字線材で構成され、下方側・横線材１２２Ｂ上及び中間横線材１２２Ｃ上に固定される。
【０１５８】
トリガ餌付支持体１２３は、支持本体１２３Ａ及び複数（一対）の支持片１２３Ｂ，１２３Ｂを有している。各支持片１２３Ｂ，１２３Ｂは、支持本体１２３Ａに直交し、支持本体１２３Ａ両端に一体形成される。各支持片１２３Ｂ，１２３Ｂは、トリガ回転穴１２３ａを有する。
【０１５９】
トリガ餌付枠体１２２は、図４３に示すように、各トリガ回転軸１２２Ｄ，１２２Ｄを各支持片１２３Ｂ，１２３Ｂのトリガ回転穴１２３ａに挿通して、トリガ餌付支持体１２３に回転自在に支持される。
【０１６０】
トリガ餌付支持体１２３は、図５９乃至図６２に示すように、例えば、後側・側格子パネル１５に配置される。支持本体１２３Ａは、檻本体１０１の外側で、側格子パネル１５に固定され、各支持片１２３Ｂ，１２３Ｂを捕獲空間Ｈ内に突出させる。
これにより、トリガ餌付枠体１２２は、捕獲空間Ｈ内に配置され。檻本体１の前後方向ＦＲに回転自在にされる（図６２参照）。また、トリガ餌付枠体１２２は、捕獲空間Ｈでトリガ線材１２１に連結される。
【０１６１】
トリガ保持竿体１２４は、図４４及び図４５に示すように、複数（一対）のトリガ支持材１２７，１２７、トリガ回転軸１２８，トリガ支持竿１２９及び複数のトリガ補強材１３０，１３１を有する。
【０１６２】
各トリガ支持材１２７，１２７は、トリガ支持竿体１２４（檻本体１０１）の左右方向ＲＬに間隔を隔てて配置される。各トリガ支持材１２７，１２７は、トリガ支持部材１２７Ａ及びトリガ連絡部材１２７Ｂで構成される。トリガ支持部材１２７Ａ、及びトリガ連絡部材１２７Ｂは、図４４（ａ）に示すように、角度α（例えば、α＝約１２０°）を隔てて連結され、「逆く形」に形成される。
【０１６３】
トリガ回転軸１２８は、各トリガ支持材１２７，１２７間に配置され、トリガ支持竿体１２４（檻本体１０１）の左右方向ＲＬに延設される。トリガ回転軸１２８は、各トリガ連絡部材１２７Ｂ，１２７Ｂに連結され、トリガ支持竿体１２４（檻本体１０１）の上下方向ＵＤにおいて、各トリガ支持部材１２７Ａ，１２７Ａ及び各ガイド連結部材１２７Ｂ，１２７Ｂを下方側に配置する（図４４及び図４５参照）。
【０１６４】
トリガ支持竿１２９は、各トリガ支持材１２７，１２７間に配置され、トリガ支持竿体１２４（檻本体１０１）の前後方向ＦＲに延設される。トリガ支持竿１２９は、トリガ回転軸１２８に直交して、トリガ回転軸１２８に固定される。これにより、トリガ支持竿１２９は、トリガ回転軸１２８を通して各トリガ支持材１２７，１２７に連結される。
【０１６５】
トリガ連結体１２５は、図４６に示すように、トリガ基板１３５、トリガ筒材１３６、トリガ連結材１３７、複数（一対）のトリガ案内軸１３８，１３８、及びトリガロック軸１３９を有している。
【０１６６】
トリガ筒材１３６は、トリガ連結穴１３６Ａを有している。トリガ筒材１３６は、トリガ連結穴１３６Ａをトリガ基板１３５に並設して、トリガ基礎板１３５に固定される。また、トリガ筒材１３６は、トリガ連結体１２５（檻本体１０１）の上下方向ＵＤにおいて、トリガ基板１３５に間隔を隔てて配置される。
【０１６７】
トリガ連結材１３７は、トリガ連結ピン１３７Ａ及びトリガ操作部材１３７Ｂを有し、トリガ連結ピン１３７Ａはトリガ連結穴１３６Ａに摺動自在に配置（挿入）される。トリガ操作部材１３７Ｂは、トリガ連結ピン１３７Ｂ一軸端側に固定されている。トリガ操作部材１３７Ｂは、ロック軸穴１３７ａを有し、トリガ線材１２１に連結される。
【０１６８】
各トリガ案内軸１３８，１３８は、トリガ筒材１３７一端外側に並設される。各トリガ案内軸１３８，１３８は、トリガ連結体１２５（檻本体１０１）の左右方向ＲＬに間隔Ｋ４を隔てて配置され、トリガ基材１３５に立設される。
【０１６９】
トリガロック軸１３９は、トリガ筒材１３７他端外側に配置され、トリガ基材１３５に立設される。トリガロック軸１３９は、トリガ操作部材１３７Ｂのロック軸穴１３７ａに挿入され、トリガ連結ピン１３７Ａのトリガ連結穴１３６Ａからの抜出しを規制する。
【０１７０】
＜天井脱出口４５Ｂ、天井開閉扉１４７＞
図３３乃至図３７において、檻本体１０１の天井格子パネルユニット２２（天井面１３）は、天井脱出口４５Ｂ、天井開閉扉１４７及び天井用ガイド装置１４８を含んで構成される。
【０１７１】
図３３乃至図３７において、天井脱出口４５Ｂは、天井格子パネル２４（後側・天井格子パネル２４）に形成され、捕獲空間Ｈを天井面１３から檻本体１０１外側に連通する。
【０１７２】
天井開閉扉１４７は天井脱出口４５Ｂを開閉する。天井開閉扉１４７は、天井格子パネルユニット２２（天井面１３）に並行して移動自在に支持され、移動に伴って、天井脱出口４５Ｂを開く天井開位置Ｐ１（図５４参照）、又は天井脱出口４５Ｂを閉じる天井閉位置Ｑ１（図３５参照）にされる。
【０１７３】
天井開閉扉１４７は、図３５及び図４７に示すように、天井扉枠組立体１４９及び天井扉格子体１５０で構成され、天井扉枠組立体１４９は複数のＬ字平鋼１４９Ａ，１４９Ａ，…を矩形に組立てて形成される。天井扉格子体１５０は複数の線材（例えば、丸鋼線材）を格子配列（又は網目配列）して形成される。天井扉格子体１５０は、天井扉枠組立体１４９内に配置され、各線材を各Ｌ字平鋼１４９Ａ，１４９Ａ，…に固定（溶接）してなる。
【０１７４】
天井用ガイド装置１４８は、図３３及び図４７に示すように、複数の複数（一対）のガイド溝１５１Ａ，１５１Ａ、及び複数（一対）のガイド体１５２，１５２を有している。各ガイド溝１５１Ａ，１５１Ａは、複数（一対）のガイド支持体１５１，１５１に形成される、各ガイド支持体１５１，１５１は、例えばＵ字平鋼で構成される。
【０１７５】
各ガイド体１５２，１５２は、天井開閉扉１４７に連結される。各ガイド体１５２，１５２は、檻本体１０１の左右方向ＲＬにおいて、天井扉格子体１５０を間に配置し、天井扉枠組立体１４９の各Ｌ字平鋼１４９Ａ，１４９Ａに固定（一体形成）される。また、各ガイド体１５２，１５３は、各Ｌ字平鋼１４９Ａ，１４９Ａから天井開閉扉１４７（檻本体１０１）の左右方向ＲＬに突出される。
【０１７６】
天井用ガイド装置１４８において、各ガイド支持体１５１，１５１は、天井格子パネル２４（後側の天井格子パネル２４）に固定される。各ガイド支持体１５１，１５１は、図３３乃至図３７に示すように、天井脱出口４５Ｂを間に配置し、檻本体１０１の左右方向ＲＬに配置される。また、各ガイド支持体１５１，１５１及び各ガイド溝１５１Ａ，１５Ａは、檻本体１０１の前後方向ＦＲに延設されている。
【０１７７】
各ガイド体１５２，１５２は、各ガイド支持体１５１，１５１のガイド溝１５１Ａ内に摺動自在に配置（挿入）し、天井開閉扉１４７を天井格子パネル２４（天井面１３）上に配置する。
これにより、天井開閉扉１４７は、複数のガイド溝１５１Ａ，１５１Ａ及び各ガイド体１５２，１５２で案内（ガイド）され、檻本体１０１の前後方向ＦＲで天井格子パネル２４（天井面１３）に並行して移動される。天井開閉扉１４７は、移動に伴って、天井開位置Ｐ１（図５４参照）又は天井閉位置Ｑ１（図３５参照）にされる。
【０１７８】
＜扉等規制装置１０７，１０７＞
図３３乃至図３７において、複数の扉等規制装置１０７，１０７は、捕獲開閉扉１０３（前面８）又は後格子パネル１０９（後面）に当接自在とされ、檻本体１０１の前後方向ＦＲで、捕獲開閉扉１０３の移動、又は後格子パネル１０９の移動を規制する。
【０１７９】
各扉等規制装置１０７，１０７は、図４８に示すように、基部材１５５、及び複数の係止部材１５６，１５７を含んで構成される。
【０１８０】
基部材１５５は、例えば丸鋼材で構成され、ネジ軸１５８及びネジ止１５９を有している。ネジ軸１５５は、基部材１５５一端に形成される。ネジ止１５９は、基部材１５５及びネジ軸１５８間に配置され、基部材１５５に形成される。
【０１８１】
複数の係止部材１５６，１５７は、例えば丸鋼材で構成される。係止部材１５６は、ネジ軸１５８に間隔Ｆ１を隔てて、基部材１５５他端に形成される。また、係止部材１５６は、基部材１５５に直交して突出される。
【０１８２】
係止部材１５７は、ネジ止１５９及び係止部材１５６間に配置される。係止部材１５７は、ネジ軸１５８に間隔Ｆ２（Ｆ２＜Ｆ１）を隔てて、基部材１５５に形成される。また、係止部材１５７は、基部材１５５に直交して突出される。
【０１８３】
各係止部材１５６，１５７は、図４８に示すように、基部材１５５の軸中心周りに角度：９０°の間隔を隔てて配置される。
【０１８４】
図４９において、一方側の扉等規制装置１０７は、檻本体１０１の前面８に配置される（以下、「前側・扉等規制装置１０７」と称する）。前側・扉等規制装置１０７は、前側・底格子パネル１９前端に固定される。
前側・扉等規制装置１０７において、基部材１５５のネジ軸１５９は、前側・底格子パネル１０前方から枠組立体２０に挿通される。ネジ軸１５９にナット１６０を螺着し、基部材１５５及び各係止部材１５６，１５７を前側・底格子パネル１９後端に固定する。
これにより、基部材１５５、及び各係止部材１５６，１５７は、図４９に示すように、檻本体１０１前方側に突出され、閉位置Ｑに配置される。また、係止部材１５６は、檻本体１０１の上下方向ＵＤに突出し、閉位置Ｑにある捕獲開閉扉１０３に当接自在である。係止部材１５７は、檻本体１０１の左右方向ＲＬに突出され、捕獲開閉扉１０３に当接しない。
【０１８５】
図５０において、他方側の扉等規制装置１０７は、檻本体１０１の後面９に配置される（以下、「後側・扉等規制装置１０７」と称する）。後側・扉等規制装置１０７は、後側・底格子パネル１９）に固定される。
後側・扉等規制装置１０７において、基部材１５５のネジ軸１５８は、後側・底格子パネル１９の後方から枠組立阿智２０に挿通される。ネジ軸１５８にナット１６０を螺着し、基部材１５５及び各係止部材１５６，１５７を後側・底格子パネル１９に固定する。
これにより、基部材１５５、及び各係止部材１５６，１５７は、図５０に示すように、檻本体１０１後方側に突出される。また、係止部材１５７は、檻本体１０１の上下方向ＵＤに突出し、後格子パネル１０９に当接自在である。係止部材１５６は、檻本体１０１の左右方向ＲＬに突出され、後格子パネル１０９に当接しない。
【０１８６】
＜扉視認装置１０８＞
図５１及び図５２において、扉視認装置１０８は、捕獲開閉扉１０３の開閉を視覚によって報知する。扉視認装置１０８は、旗棒材１６５、視認旗１６６及び旗保持体１６７を含んで構成される。
【０１８７】
旗棒材１６５は、旗連結穴１６５Ａを有している。旗連結穴１６５Ａは、旗棒材１６５一端側（下端側）に形成される。また、旗連結穴１６５Ａは、旗棒材１６５の軸方向に直交して、旗棒材１６５を挿通している。
視認旗１６６は、旗棒材１６５他端側（上端側）に取付けられる。
【０１８８】
旗保持体１６７は、図５１及び図５２に示すように、旗保持部材１６８、及び旗連結ピン１６９を備えている。
【０１８９】
旗保持部材１６８は、例えば平鋼材で構成される。旗保持部材１６８は、上側平板１７１、下側平板１７２、縦平板１７３及び規制平板１７４を有している。
【０１９０】
上側平板１７１は、旗保持長穴１７１Ａを有している。旗保持長穴１７１Ａは、檻本体１０１の前後方向ＦＲに延設される。また、旗保持長穴１７１Ａは、上側平板１７１の板厚方向ＰＴで上側平板１７１を挿通している。
【０１９１】
下側平板１７２は、上側平板１７１に間隔を隔てて並設される。下側平板１７２は、旗連結長穴１７２Ａを有している。旗連結長穴１７２Ａは、檻本体１０１の前後方向ＦＲに延設され、保持長穴１７１Ａに対峙している。また、旗連結長穴１７２Ａは、下側平板１７２の板厚方向ＰＴで下側平板１７２を挿通している。
縦平板１７３は、上側及び下側平板１７１，１７２間に配置され、上側及び下側平板１７１，１７２に連結される。
【０１９２】
規制平板１７４は、縦平板１７４に連結され、上側及び下側平板１７１，１７２と反対側で檻本体１０１の前後方向ＦＲに延設される。
旗連結ピン１６９は、旗棒材１６５の旗連結穴１６５Ａに挿入自在である。旗連結ピン１６９は、捕獲開閉扉１０３の落下で破断する材料（材質）で形成される。
【０１９３】
＜獣類捕獲罠Ｘ３の使用＞
次に、獣類捕獲罠Ｘ３の使用について、図３３乃至図７４を参照して説明する。
なお、説明の便宜上、捕獲開閉扉１０３は閉位置Ｓで獣類侵入口２を閉じており、天井開閉扉１４７は天井脱出口４５Ｂを閉じているものとする（図３３乃至図３６参照）。
【０１９４】
作業者は、獣類捕獲罠Ｘ３を捕獲目的の獣類、例えば猪の獣道に設置する。
【０１９５】
＜Ａ：扉視認装置・セット＞
図５１乃至図５４において、作業者は、視認旗保持装置１０８を獣類捕獲罠Ｘ３に取付ける。
旗保持部材１６８は、閉位置Ｓにある捕獲開閉扉１０３に固定される。
下側平板１７１は、図５１及び図５２に示すように、扉枠組立体１１２の上側・Ｌ字平鋼１１２Ａ上に配置され、ボルト１８１Ａ・ナット１８１Ｂで上側・Ｌ字平鋼１１２Ａに連結（固定）される。ボルト１８１Ａは、上側・Ｌ字平鋼１１２Ａを挿通し、下側平板１７１の旗連結長穴１７２Ａ内に挿入される。ナット１８１Ｂは、ボルト１８１Ａに螺着される。
【０１９６】
旗保持部材１６８は、ボルト１８１Ａ及び旗連結長穴１７１Ａで案内（ガイド）され、檻本体１０１の前後方向ＦＲに移動自在である。作業者は、旗保持部材１６８を移動し、旗連結長穴１７２Ａ及び旗保持長穴１７１Ａを間隔Ｋ２（隙間）に配置する（図５２参照）。
旗棒材１６５は、上側平板１７１の旗保持長穴１７１Ａ内を挿通し、下側平板１７２の旗連結長穴１７２Ａ内に挿入される。旗棒材１６５の旗連結穴１６５Ａは、上側平板１７１及び下側平板１７２間に配置される。
【０１９７】
旗連結ピン１６９は、旗棒材１６５の旗連結穴１６５Ａ内を挿通し、下側平板１７２上に配置される。
これにより、旗棒材１６５は、図５２乃至図５４に示すように、上側平板１７１、下側平板１７２及び旗連結ピン１６９で旗保持部材１６７に保持され、捕獲開閉扉１０３に立設される。
【０１９８】
＜Ｂ：天井脱出口・開＞
図５４及び図５６において、天井脱出口４５Ｂを開く。
作業者は、天井開閉扉１４７を移動する。天井開閉扉１４７は、各ガイド溝１５１Ａ，１５１Ａ（各ガイド支持体１５１，１５１）及び各ガイド体１５２，１５２で案内（ガイド）され、檻本体１０１の前後方向ＦＲに移動し、天井閉位置Ｑ１から天井開位置Ｐ１にされる（図５４参照）。
これにより、天井脱出口４５Ｂは、開かれ、捕獲空間Ｈを天井面１３から檻本体１０１外側に連通する。
【０１９９】
＜Ｃ：捕獲開閉扉・開＞
図５５乃至図５８において、捕獲開閉扉１０３を開く。
作業者は、操作レバ３２を操作し、ストッパピン３１をガイド溝１７１Ａからストッパ穴３０内に退避させる（図５７参照）。
【０２００】
続いて、作業者は、捕獲開閉扉１０３（扉枠組立体１１２及び扉格子体１１３）を閉位置Ｓ（図５３参照）から開位置Ｔ（図５５参照）に移動する。捕獲開閉扉１０３は、各ガイド溝１１４Ａ，１１４Ａ（各ガイド支持体１１４，１１４）及び各ガイド体１１５，１１５で案内（ガイド）されて開位置Ｔにされる。
これにより、視認旗装置１０８において、旗棒材１６５及び視認旗１６６は、図５５及び図５６に示すように、檻本体１０１上方に延材する旗立位置Ｖに配置される。
また、開位置Ｔにある捕獲開閉扉１０３は、図５８（ａ）に示すように、ストッパ装置５のストッパピン３１より上方側に位置される。
【０２０１】
そして、捕獲開閉扉１０３を開位置Ｔに移動すると、ストッパ装置５のストッパピン３１は、ストッパピン３１自重でストッパ穴３０を摺動し、ガイド装置１０４のガイド溝１１４Ａ内に突出される。また、ストッパ装置５のストッパピン３１は、ガイド溝１１４Ａ内で、開位置Ｔにある捕獲開閉扉１０３に連結されたガイド体１１５の下端１１５ｂに当接する。
これにより、ストッパ装置５において、ストッパピン３１（ストッパ体）は、捕獲開閉扉１０３を閉位置Ｓへの移動を規制し、捕獲開閉扉１０３を開位置Ｔに保持（支持）する[図５８（ａ）参照]。
【０２０２】
＜Ｄ：トリガ装置・セット＞
図５９乃至図６２、図６４乃至図６７において、トリガ装置１０６をセットする。
作業者は、図５９乃至図６１に示すように、トリガ連結体１２５を、例えば天井開位置Ｐ１にある天井開閉扉１４７（天井面１３）上に間隔Ｋ３を隔てて固定する（図６３参照）。トリガ連結体１２５において、トリガ筒材１３６（トリガ連結穴１３６Ａ）は、檻本体１０１の左右方向ＲＬに延設して配置される。
【０２０３】
続いて、作業者は、図６３及び図６４に示すように、トリガ操作部材１３Ｂを回転し、ロック軸穴１３７ａ内からトリガロック軸１３９を抜出す。また、作業者は、トリガ連結ピン１３７Ａをトリガ筒材１３６（トリガ連結穴１３６Ａ）内から抜出す。
作業者は、図６４に示すように、トリガ保持竿体１２４を天井格子パネル２３（天井面１３）上に配置する。
トリガ保持竿体１２４において、トリガ支持竿１２９は、檻本体１０１の前後方向ＦＲに延設して配置され、トリガ支持材１２７，１２７は檻本体１０１の左右方向ＲＬに配置される。
【０２０４】
前側・天井格子パネル２３において、各トリガ支持材１２７，１２７は、図６５及び図６６に示すように、枠組立体２５の前側・Ｌ字平鋼２５Ａ及び格子体２６の最前側・縦線材２６Ａ２間に挿入され、トリガ連絡部材１２７Ｂ，１２７Ｂを最前側・縦線材２６Ａに当接する。
トリガ支持材１２７，１２７は、格子体２６の横線材２６Ａ１，２６Ａ１，・・・を間に配置し、トリガ連絡材１２７Ｂ内側で横線材２６Ａ２に当接する。
【０２０５】
また、各ガイド支持材１２７，１２７は、檻本体１０１の上下方向ＵＤにおいて、開位置Ｔにある捕獲開閉扉１０３に間隔Ｋ６を隔てて下方側に配置される。
トリガ回転軸１２８は、図６５に示すように、格子体２６の複数の横線材２６Ａ２，２６Ａ２，…上に支持される。
これにより、トリガ保持竿体１２４は、トリガ回転軸１２８を回転中心として、檻本体１０１の上下方向ＵＤに回転自在である。
【０２０６】
作業者は、図６３及び図６４に示すように、トリガ保持竿１２９をトリガ連結体１２５の各トリガ案内軸１３８，１３８間に挿入し、トリガ基板１３５上に配置する。
【０２０７】
作業者は、図６７に示すように、トリガ連結ピン１３７Ａをトリガ筒材１３６のトリガ連結穴１３６Ａ内に挿入する。トリガ連結ピン１３７Ａは、トリガ連結穴１３６Ａ内を摺動し、トリガ筒材１３７外側に突出される。トリガ連結ピン１３７Ａは、各トリガ案内軸１３８，１３８間でトリガ保持竿１２８上に配置される。
【０２０８】
続いて、作業者は、図６７に示すように、トリガ操作部材１３７Ｂを回転し、トリガロック軸１３９をロック軸穴１３７ａ内に挿入する。
これにより、トリガ連結ピン１３７Ａは、トリガ筒材１３６（トリガ連結穴１３６Ａ）内から抜出ない。
【０２０９】
トリガ保持竿体１２４において、トリガ保持竿１２９は、図６７に示すように、トリガ連結ピン１３８及びトリガ基板１３５（天井面１３）間（間隔Ｋ３）、及び各トリガ案内軸１３８，１３８間（隙間Ｋ４）間に配置され、檻本体１０１の上下方向ＵＤへの移動が規制される。
これにより、トリガ保持竿体１２４は、回転されず、天井格子パネル２３上に配置される。
【０２１０】
続いて、作業者は、図５８に示すように、ストッパ装置５のストッパピン３１をガイド溝１１４Ａ内からストッパ穴３１に退避する。
これにより、捕獲開閉扉３は、開位置Ｔから閉位置Ｓ側へ落下し、第２開位置Ｔ２にされる。また、捕獲開閉扉３は、図６８（ａ）に示すように、トリガ保持竿体１２４の各トリガ支持材１２７，１２７上に当接され、各トリガ支持部材１２７Ａ，１２７Ａで第２開位置Ｔ２に保持される。各トリガ支持部材１２７Ａ，１２７Ａは、扉枠組立体１１２の下側・Ｌ字平鋼１１２Ａに当接される。
【０２１１】
捕獲開閉扉１０３は、ガイド装置５で保持される開位置Ｔ（第１開位置）、及びトリガ装置１０６で保持される第２開位置Ｔ２にされ、第２開位置Ｔ２は獣類侵入口２を全開し、開位置Ｔ（第１開位置）から閉位置Ｓ側に位置する。 
【０２１２】
また、ガイド装置１０４において、ガイド体１１５は、捕獲開閉扉１０３の第２開位置Ｔ２への落下に伴って、ストッパ装置５のストッパ穴３０を閉鎖する［図５８（ｂ）参考］。
ストッパ装置５において、ストッパピン３１は、図５８（ｂ）に示すように、ストッパ穴３０内を摺動し、ガイド体１１４の側端１１５ｃに当接される。
【０２１３】
作業者は、図７０に示すように、トリガ連結体１２５のトリガ操作部材１３７Ｂを回転し、トリガロック軸１３９をロック軸穴１３７ａ内から抜出す。
これにより、トリガ連結体１２５において、トリガ連結ピン１３７Ａは、トリガ筒材１３６（トリガ連結穴１３６Ａ）内から抜出自在にされる。
【０２１４】
＜Ｅ：獣類捕獲／捕獲開閉扉・閉＞
作業者は、天井開閉扉１４７を天井開位置Ｐ１にし、捕獲開閉扉１０３を開位置Ｔ（第２開位置Ｔ２）にすると、図６１に示すように、トリガ餌付枠体１２２の各餌付材１２６，１２６，…に餌を取付ける。
【０２１５】
猪、熊又は猿等の獣類は、獣類侵入口２から捕獲空間Ｈに侵入し、トリガ餌付枠体１２２の餌を物色する。
【０２１６】
トリガ餌付枠体１２２は、図６２に示すように、獣類の餌物色（接触）に伴って、トリガ餌付支持体１２３を回転支点とし、檻本体１０１の前後方向ＦＲに回転される。
トリガ装置１０６において、トリガ線材１３４は、トリガ餌付枠体１２３の回転に伴って、檻本体１０１の前後方向ＦＲに移動される。
これにより、トリガ連結ピン１３６Ａは、図７１に示すように、ガイド筒材１３６のガイド連結穴１３６Ａ内に退避され、トリガ保持竿１２９上から退避される。
また、トリガ保持竿体１２４において、トリガ保持竿１２９は、檻本体１０１の前後方向ＵＤで上方側に移動自在にされ、トリガ保持竿体１２４は、トリガ回転軸１２８を回転中心として回転自在になる。トリガ装置１０６は、捕獲開閉扉１０３の保持を解除する。
【０２１７】
続いて、捕獲開閉扉１０３は、トリガ装置１０６による保持の解除に伴って、第２開位置Ｔ２から閉位置Ｓへ落下される。
トリガ保持竿体１２４は、図６８に示すように、捕獲開閉扉１０３の落下に伴って、捕獲開閉扉１０３の重量（落下力）を受けて、トリガ回転軸１２８を回転中心とし、檻本体１０１の上下方向ＵＤに回転（反時計回転）される。
【０２１８】
トリガ保持竿体１２４は、トリガ回転軸１２８に当接する各横線材２６Ａ２，２６Ａ２，…、及び各トリガ連絡部材１２８Ｂ，１２８Ｂに当接する縦線材２６Ａ１で案内（ガイド）されて、檻本体１０１の上下方向ＵＤに回転する。また、トリガ保持竿体１２４は、各トリガ連絡部材１２７Ｂ，１２７Ｂ内側に当接する各横線材２６Ａ２，２６Ａ２で、檻本体１０１の左右方向ＲＬに移動が規制される［図６５（ｂ）参照］。
【０２１９】
各トリガ支持材１２７，１２７は、第２閉位置Ｔ２から閉位置Ｓ側へ回転移動される。また、トリガ支持竿１２９は、図６８（ｂ）に示すように、トリガ連結体１２５の各トリガ案内軸１３８，１３８で案内（ガイド）され、天井格子パネル２３（天井面１３
から離間される［図６８（ｂ）参照］。
続いて、トリガ支持材１２７，１２７（トリガ支持部材１２７Ａ）は、図６９（ａ）に示すように、捕獲開閉扉１０３の下側・Ｌ字平鋼１１２Ａから離間される。
トリガ保持竿体１２４は、捕獲開閉扉１０３の離間に伴って、トリガ回転軸１２８を回転中心として、逆回転（時計回転）される。
【０２２０】
各トリガ支持材１２７，１２７は、第２開位置Ｔ２へ回転移動される。また、トリガ支持竿１２９は、天井格子パネル２３（天井面１３）へ回転移動され、天井格子パネル２３の格子体２６上に配置される（図６９参照）。
トリガ保持竿体１２４において、各トリガ保持材１２７，１２７（トリガ支持部材１２７Ａ）は、図６９（ｂ）に示すように、捕獲開閉扉１０３の扉格子体１０３に間隔を隔てて配置され、落下する捕獲開閉扉１０３に接触しない。
【０２２１】
ガイド装置１０４において、ガイド体１１５は、捕獲開閉扉１０３の落下に伴って、ストッパ装置５のストッパ穴３１を通過する［図５７（ａ）参照］。
これにより、ストッパ装置５において、ストッパピン３１は、図５７（ａ）に示すように、ストッパ穴３０からガイド溝１１４Ａ内に突出され、閉位置にある捕獲開閉扉１０３のガイド体１１５の上端１１５ａに当接する。
ストッパピン３１は、ガイド体１１５の当接で、捕獲開閉扉１０３の開位置Ｔ（第２開位置Ｔ２）への移動を規制し、捕獲開閉扉１０３は獣類侵入口２を開かない。
獣類は、捕獲開閉扉１０３で獣類侵入口２を閉じた、捕獲空間Ｈ内に収容（捕獲）される。
【０２２２】
また、作業者は、天井開位置Ｐ１にある天井開閉扉１４７を天井閉位置Ｑ１に移動して、天井脱出口４５Ｂを閉じる（全閉）する（図３７参照）。
これにより、天井閉位置Ｑ１にある天井開閉扉１４７は、天井格子パネル２４（天井面１３）の一部を構成する。
【０２２３】
＜Ｆ：視認旗装置・落下＞
視認旗装置１０８において、旗棒材１６５及び視認旗１６６は、捕獲開閉扉１０３と共に落下される。
【０２２４】
捕獲開閉扉１０３が閉位置Ｓに達すると、旗棒材１６５は、図７２（ａ）に示すように、捕獲開閉扉１０３に対し、檻本体１０１の底格子パネルユニット１８（底面１２）側に相対移動され、トリガ連結ピン１６９に押付力ｆを付与する。トリガ連結ピン１６９は、押付力ｆで破断され、旗保持体１６７は、捕獲開閉扉１０３の落下に伴って、旗棒材１６５の保持を解除する。
これにより、旗棒材１６５及び視認旗１６６は、図７２及び図７３に示すように、捕獲開閉扉１０３及び天井格子パネル２３の前側・Ｌ字平鋼２５Ａ１間（間隔Ｋ２）間で、檻本体１０１の底格子柄パネルユニット１８（底面１２）側に落下される。旗棒材１６５は、ガイド保持材１６８の上側平板１７１及び下側平板１７２で案内（ガイド）され、旗保持長穴１７１Ａ及び旗連結長穴１７２Ａを挿通し、檻本体１０１の底面１２まで落下される。
そして、視認旗１６６は、図７４に示すように、旗保持部材１６８（旗保持体１６７）の上側平板１７１上に当接される。
【０２２５】
視認旗１６６は、開位置Ｔ（第２開位置Ｔ２）にある捕獲開閉扉１０３において、図５３に示すように、旗立位置Ｖにされる。また、視認旗１６６は、閉位置Ｓにある捕獲開閉扉１０３において、旗落下位置Ｗにされる。
視認旗装置１０８では、視認旗１６６又は旗棒材１６５の旗立位置Ｖ又は旗落下位置Ｗによって、遠方から捕獲開閉扉１０３の開閉を視認できる。
【０２２６】
＜Ｇ：扉等規制装置・規制＞
前側・扉等規制装置１０７において、捕獲開閉扉１０３が閉位置Ｓまで落下すると、基礎ピン１５５は、図４９に示すように、扉枠組立体１１２の下側・Ｌ字鋼板１１２Ａ１を載置する。捕獲開閉扉１３０の扉枠組立体１２２は、前側・底格子パネル１９前端、及び係止部材１５７間（間隔Ｆ１）に配置される。係止部材１５６は、図４９に示すように、檻本体１０１の前後方向ＦＲにおいて、閉位置Ｓにある捕獲開閉扉１０３外側に配置され、上下方向ＵＤの上方側に突出される。これにより、係止部材１５６は、捕獲開閉扉１０３外側から扉枠組立体１１２に当接自在にされる。
【０２２７】
後側・扉等規制装置１０７において、基礎ピン１５５は、図５０に示すように、後格子パネル１０９（枠組立体１１０の下側・Ｌ字平鋼１１０Ａ１）を載置する。後格子パネル１０９の枠組立体１１０は、後側・底格子パネル１９後端、及び係止部材１５７間（隙間Ｆ２）間に配置される。係止部材１５７は、図５０に示すように、檻本体１０１の前後方向ＦＲにおいて、後格子パネル１０９外側に配置され、上下方向ＵＤの上方側に突出される。これにより、係止部材１５７は、後格子パネル１０９外側から枠組立体１１０に当接自在にされる。
【０２２８】
獣類を檻本体１０１の捕獲空間Ｈに収容（捕獲）すると、獣類は捕獲空間Ｈ内で暴れ、捕獲開閉扉１０３又は後格子パネル１０９に突進／激突する。獣類の激突で、捕獲開閉扉１０３又は後格子パネル１０９は、檻本体１０１の前後方向ＦＲで扉等規制装置に当接して、前後方向ＦＲの移動が規制される（図４９及び図５０参照）。
これにより、捕獲開閉扉１０３又は後格子パネル１０９は、檻等規制装置１０７，１０７で檻本体１０１から外れ破損等することを防止できる。
【０２２９】
特に、檻本体１０１を前後方向ＦＲに長尺直方体に形成すると、捕獲した獣類は、檻本体１０１の前後方向ＦＲに突進し、捕獲開閉扉１０３又は後格子パネル１０９に衝突する。扉等移動装置１０７，１０７は、捕獲開閉扉１０３又は後格子パネル１０９の移動を規制する。
【０２３０】
また、扉等規制装置１０７，１０７において、複数の係止部材１５６，１５７を間隔Ｆ１，Ｆ２（Ｆ１＞Ｆ２）を隔てて基部材１５５に形成する。これにより、捕獲開閉扉１０３、後格子パネル１０９の厚寸法（檻本体１０１の前後方向ＦＲの寸法）に応じて、檻本体１０１の前後方向ＦＲへの移動を規制できる。
【０２３１】
更に、複数の係止部材１５６，１５７は、図４８に示すように、基部材１５５に対し、角：９０°を隔てて形成されるので、基部材１５５を回転中心として、各係止部材１５６，１５７を回転することで、捕獲開閉扉１０３又は後格子パネル１０９の厚寸法に対応できる。
【０２３２】
獣類捕獲罠Ｘ１，Ｘ２，Ｘ３において、天井脱出口４５Ａ，４５Ｂは、図１８及び図３７に示すように、開口総平面積：Ｓ１である。
檻本体１（又は檻本体１０１）は、図６に示すように、総平面積：Ｓである。檻本体１（又は檻本体１０１）の総平面積：Ｓは、図６に示すように、各捕獲開閉扉３，３（前後面８，９）及び各側格子パネルユニット１４，１４（左右面１０，１１）で囲まれる、矩形開口である。
天井脱出口４５Ａ，４５Ｂの開口総平面積：Ｓ１、及び檻本体１（又は檻本体１０１）の総平面積：Ｓの関係は、Ｓ１＝（０．５〜１．０）×Ｓにできる。
【０２３３】
「鳥獣保護法」では、檻本体１（又は檻本体１０１）の天井面１３を５０〜１００％範囲で開いた罠は、囲い罠とされる。
獣類捕獲罠Ｘ１，Ｘ２，Ｘ３では、天井開閉扉４７，１４７で天井脱出口４５Ａ，４５Ｂを開き、檻本体１（又は檻本体１０１）の天井面１３を５０〜１００％開放することで、所謂、囲い罠として使用できる。天井開閉扉４７，１４７を天井閉位置Ｑ，Ｑ１とし、天井脱出口４５Ａ，４５Ｂを閉じる（全閉）ことで、所謂、箱罠として使用できる。
【０２３４】
第１及び第２実施形態の獣類捕獲罠Ｘ１，Ｘ２では、扉等規制装置１０７，１０７、及び／又は扉視認装置１０８を備える構成を採用できる。獣類捕獲罠Ｘ１，Ｘ２でも、獣類捕獲罠Ｘ３と同様、各捕獲開閉扉３，３の移動を規制でき、各捕獲開閉扉の開閉を視認（視覚で確認）できる。
【０２３５】
第１及び第２実施形態の獣類捕獲罠Ｘ１，Ｘ２では、獣類捕獲罠Ｘ３と同様、トリガ装置１０６を使用し、捕獲開閉扉３を開位置Ｔ（第２開位置Ｔ２）に保持できる。
第３実施形態の獣類捕獲罠Ｘ３では、獣類捕獲罠Ｘ１と同様、トリガ装置６を使用し、捕獲開閉扉１０３を開位置Ｔ（第２開位置Ｔ２）に保持できる。
【０２３６】
第１及び第２実施形態の獣類捕獲罠Ｘ１，Ｘ２において、天井扉保持装置７（又は天井扉保持装置６７）は、補助パネル体５５に限定されず、各天井扉体４９，４９，…を天井開位置Ｐに保持できれば良い。
【０２３７】
第１及び第２実施形態の獣類捕獲罠Ｘ１，Ｘ２において、獣類侵入口２は、檻本体１の前面８又は後面９に形成する構成を採用できる。檻本体１の前面８又は後面９は、獣類捕獲罠Ｘ３と同様、後格子パネルで閉塞する。
【０２３８】
第３実施形態の獣類捕獲罠Ｘ３において、獣類侵入口２は、檻本体１０１の前面８及び後面９に形成する構成を採用できる。各獣類侵入口２は、獣類捕獲罠Ｘ１と同様、複数（一対）の捕獲開閉扉で開閉する。
【産業上の利用可能性】
【０２３９】
本発明は、猪等の有害獣類を捕獲するのに好適である。
【符号の説明】
【０２４０】
Ｘ１  獣類捕獲罠
Ｘ２  獣類捕獲罠
Ｘ３  獣類捕獲罠
１  檻本体
２  獣類侵入口
３  捕獲開閉扉
４  ガイド装置
５  ストッパ装置
６  トリガ装置
８  前面（捕獲開閉扉）
９  後面
１０  左面（側格子パネルユニット）
１１  右面（側格子パネルユニット）
１２  底面（底格子パネルユニット）
１３  天井面（天井格子パネルユニット）
４７  天井開閉扉
４５Ａ  天井脱出口
４５Ｂ  天井脱出口
１０６  トリガ装置
１４７  天井開閉扉
28
【図１】
2014045734.tif 000003
【図２】
2014045734.tif 000004
【図３】
2014045734.tif 000005
【図４】
2014045734.tif 000006
【図５】
2014045734.tif 000007
【図６】
2014045734.tif 000008
【図７】
2014045734.tif 000009
【図８】
2014045734.tif 000010
【図９】
2014045734.tif 000011
【図１０】
2014045734.tif 000012
【図１１】
2014045734.tif 000013
【図１２】
2014045734.tif 000014
【図１３】
2014045734.tif 000015
【図１４】
2014045734.tif 000016
【図１５】
2014045734.tif 000017
【図１６】
2014045734.tif 000018
【図１７】
2014045734.tif 000019
【図１８】
2014045734.tif 000020
【図１９】
2014045734.tif 000021
【図２０】
2014045734.tif 000022
【図２１】
2014045734.tif 000023
【図２２】
2014045734.tif 000024
【図２３】
2014045734.tif 000025
【図２４】
2014045734.tif 000026
【図２５】
2014045734.tif 000027
【図２６】
2014045734.tif 000028
【図２７】
2014045734.tif 000029
【図２８】
2014045734.tif 000030
【図２９】
2014045734.tif 000031
【図３０】
2014045734.tif 000032
【図３１】
2014045734.tif 000033
【図３２】
2014045734.tif 000034
【図３３】
2014045734.tif 000035
【図３４】
2014045734.tif 000036
【図３５】
2014045734.tif 000037
【図３６】
2014045734.tif 000038
【図３７】
2014045734.tif 000039
【図３８】
2014045734.tif 000040
【図３９】
2014045734.tif 000041
【図４０】
2014045734.tif 000042
【図４１】
2014045734.tif 000043
【図４２】
2014045734.tif 000044
【図４３】
2014045734.tif 000045
【図４４】
2014045734.tif 000046
【図４５】
2014045734.tif 000047
【図４６】
2014045734.tif 000048
【図４７】
2014045734.tif 000049
【図４８】
2014045734.tif 000050
【図４９】
2014045734.tif 000051
【図５０】
2014045734.tif 000052
【図５１】
2014045734.tif 000053
【図５２】
2014045734.tif 000054
【図５３】
2014045734.tif 000055
【図５４】
2014045734.tif 000056
【図５５】
2014045734.tif 000057
【図５６】
2014045734.tif 000058
【図５７】
2014045734.tif 000059
【図５８】
2014045734.tif 000060
【図５９】
2014045734.tif 000061
【図６０】
2014045734.tif 000062
【図６１】
2014045734.tif 000063
【図６２】
2014045734.tif 000064
【図６３】
2014045734.tif 000065
【図６４】
2014045734.tif 000066
【図６５】
2014045734.tif 000067
【図６６】
2014045734.tif 000068
【図６７】
2014045734.tif 000069
【図６８】
2014045734.tif 000070
【図６９】
2014045734.tif 000071
【図７０】
2014045734.tif 000072
【図７１】
2014045734.tif 000073
【図７２】
2014045734.tif 000074
【図７３】
2014045734.tif 000075
【図７４】
2014045734.tif 000076